(57)【要約】【課題】好適なＰＵＣＣＨ送信方法及びユーザ装置を提供すること。【解決手段】本明細書の一開示は、ユーザ装置で５個を超えるセルをキャリアアグリゲーションによって使用する場合、アップリンク制御情報を含むＰＵＣＣＨを送信する方法を提供する。前記方法は、２０ビットを超えるＫビットのＵＣＩをエンコーディングしてＮビットのエンコーディングされたビットを出力するステップ；及び、前記エンコーディングされたＮビットに対して直交カバーコードを適用することなく、アップリンクサブフレーム内のＲＥにマッピングするステップを含む。ここで、前記アップリンクサブフレームは、２個のシンボルを含み、各シンボルは、周波数軸に１２個の副搬送波と、時間軸に６個または７個のシンボルを含む。前記マッピングステップではＤＭＲＳのためのシンボルを除外した残りのシンボルのうち、シンボルインデックス及び副搬送波インデックスによって実行される。【選択図】図１５ａ
2019149827.tif 000002
【特許請求の範囲】
【請求項１】
ＰＵＣＣＨ（ｐｈｙｓｉｃａｌ  ｕｐｌｉｎｋ  ｃｏｎｔｒｏｌ  ｃｈａｎｎｅｌ）信号を送信するための方法であって、前記方法は、
縮小されたＰＵＣＣＨフォーマットに基づいた前記ＰＵＣＣＨ信号を送信すること
を含み、
前記ＰＵＣＣＨ信号およびサウンディング参照信号（ＳＲＳ）の同時送信がサブフレームにおいて設定されていることに基づいて、ならびに、前記ＰＵＣＣＨ信号の送信がセル−特定的なＳＲＳの帯域幅と部分的にまたは完全に重複することに基づいて、前記縮小されたＰＵＣＣＨフォーマットが使用され、
前記縮小されたＰＵＣＣＨフォーマットは、前記サブフレームにおける最後のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを使用せず、
前記縮小されたＰＵＣＣＨフォーマットに基づいた前記ＰＵＣＣＨ信号は、前記最後のＯＦＤＭシンボルを除き、まず周波数インデックス、次いでＯＦＤＭシンボルインデックスの増加する順に、リソース要素（ＲＥ）にマッピングされ、
前記最後のＯＦＤＭシンボルには直交シーケンスが適用されない、方法。
【請求項２】
前記ＰＵＣＣＨ信号は、ＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）を含む、請求項１に記載の方法。
【請求項３】
前記サブフレームは、セル−特定的なＳＲＳサブフレームとして設定されている、請求項１に記載の方法。
【請求項４】
前記縮小されたＰＵＣＣＨフォーマットは、ＰＵＣＣＨフォーマット１、１ａ、１ｂおよび３とは異なる新しいＰＵＣＣＨフォーマットに基づく、請求項１に記載の方法。
【請求項５】
前記縮小されたＰＵＣＣＨフォーマットに基づいて、前記サブフレーム内のＯＦＤＭシンボルに前記直交シーケンスを適用するかを決定することをさらに含む、請求項１に記載の方法。
【請求項６】
前記サブフレーム内の、前記最後のＯＦＤＭシンボルを除いたＯＦＤＭシンボルに前記直交シーケンスが適用される、請求項１に記載の方法。
【請求項７】
前記縮小されたＰＵＣＣＨフォーマットは、
前記直交シーケンスが適用される第１の縮小されたＰＵＣＣＨフォーマットと、
前記直交シーケンスが適用されない第２の縮小されたＰＵＣＣＨフォーマットと
を含む、請求項１に記載の方法。
【請求項８】
ＰＵＣＣＨ（ｐｈｙｓｉｃａｌ  ｕｐｌｉｎｋ  ｃｏｎｔｒｏｌ  ｃｈａｎｎｅｌ）信号を送信するための無線端末であって、前記無線端末は、
送受信機と、
前記送受信機を制御し、これにより、縮小されたＰＵＣＣＨフォーマットに基づいた前記ＰＵＣＣＨ信号を送信することを実行するように構成されたプロセッサと
を備え、
前記ＰＵＣＣＨ信号およびサウンディング参照信号（ＳＲＳ）の同時送信がサブフレームにおいて設定されていることに基づいて、ならびに、前記ＰＵＣＣＨ信号の送信がセル−特定的なＳＲＳの帯域幅と部分的にまたは完全に重複することに基づいて、前記縮小されたＰＵＣＣＨフォーマットが使用され、
前記縮小されたＰＵＣＣＨフォーマットは、前記サブフレームにおける最後のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを使用せず、
前記縮小されたＰＵＣＣＨフォーマットに基づいた前記ＰＵＣＣＨ信号は、前記最後のＯＦＤＭシンボルを除き、まず周波数インデックス、次いでＯＦＤＭシンボルインデックスの増加する順に、リソース要素（ＲＥ）にマッピングされ、
前記最後のＯＦＤＭシンボルには直交シーケンスが適用されない、無線端末。
【請求項９】
前記ＰＵＣＣＨ信号は、ＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）を含む、請求項８に記載の無線端末。
【請求項１０】
前記サブフレームは、セル−特定的なＳＲＳサブフレームとして設定されている、請求項８に記載の無線端末。
【請求項１１】
前記縮小されたＰＵＣＣＨフォーマットは、ＰＵＣＣＨフォーマット１、１ａ、１ｂおよび３とは異なる新しいＰＵＣＣＨフォーマットに基づく、請求項８に記載の無線端末。
【請求項１２】
前記プロセッサは、
前記縮小されたＰＵＣＣＨフォーマットに基づいて、前記サブフレーム内のＯＦＤＭシンボルに前記直交シーケンスを適用するかを決定するように構成されている、請求項８に記載の無線端末。
【請求項１３】
前記サブフレーム内の、前記最後のＯＦＤＭシンボルを除いたＯＦＤＭシンボルに前記直交シーケンスが適用される、請求項８に記載の無線端末。
【請求項１４】
前記縮小されたＰＵＣＣＨフォーマットは、
前記直交シーケンスが適用される第１の縮小されたＰＵＣＣＨフォーマットと、
前記直交シーケンスが適用されない第２の縮小されたＰＵＣＣＨフォーマットと
を含む、請求項８に記載の無線端末。
【発明の詳細な説明】
【技術分野】
【０００１】
本発明は、移動通信に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）”に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、及びアップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【０００４】
一方、益々増加するデータの量に対処するために、ＬＴＥ−Ａｄｖａｎｃｅｄでは搬送波を５個までアグリゲーションするキャリアアグリゲーション（Ｃａｒｒｉｅｒ  Ａｇｇｒｅｇａｔｉｏｎ：ＣＡ）技術を提示した。
【０００５】
しかし、データの量の急激な増加に応じて、次世代移動通信システムでは５個より多い搬送波をアグリゲーションすることを議論中である。
【０００６】
しかし、このように５個より多い搬送波をアグリゲーションする場合、ＰＵＣＣＨを介してより多くのビットが送信される必要がある。しかし、現在までは前記ＰＵＣＣＨを介して最大２２ビットまでのみ送信できるという問題点がある。
【発明の概要】
【発明が解決しようとする課題】
【０００７】
したがって、本明細書の開示は、前述した問題点を解決することを目的とする。
【課題を解決するための手段】
【０００８】
前述した目的を達成するために、本明細書の一開示は、ユーザ装置（Ｕｓｅｒ  Ｅｑｕｉｐｍｅｎｔ：ＵＥ）で５個を超えるセルをキャリアアグリゲーション（ＣＡ）によって使用する場合、アップリンク制御情報（ＵＣＩ）を含むＰＵＣＣＨ（Ｐｈｙｓｉｃａｌ  Ｕｐｌｉｎｋ  Ｃｏｎｔｒｏｌ  Ｃｈａｎｎｅｌ）を送信する方法を提供する。前記方法は、２０ビットを超えるＫビットのＵＣＩをエンコーディングしてＮビットのエンコーディングされたビットを出力するステップ；及び、前記エンコーディングされたＮビットに対して直交カバーコード（ｏｒｔｈｏｇｏｎａｌ  ｃｏｖｅｒ  ｃｏｄｅ：ＯＣＣ）を適用することなく、アップリンクサブフレーム内のＲＥら（Ｒｅｓｏｕｒｃｅ  Ｅｌｅｍｅｎｔｓ）にマッピングするステップ；を含む。ここで、前記アップリンクサブフレームは、２個のシンボルを含み、各シンボルは、周波数軸に１２個の副搬送波と、時間軸に６個または７個のシンボルを含む。前記マッピングステップではＤＭＲＳ（ＤｅＭｏｄｕｌａｔｉｏｎ  Ｒｅｆｅｒｅｎｃｅ  Ｓｉｇｎａｌ）のためのシンボルを除外した残りのシンボルのうち、シンボルインデックス及び副搬送波インデックスによって実行される。
【０００９】
前記マッピングステップは：前記ＤＭＲＳのためのシンボルを除外した残りのシンボルのうち、シンボルインデックスが増加した後、その次に副搬送波インデックスが増加する順に実行される。
【００１０】
前記マッピングステップは：前記ＤＭＲＳのためのシンボルを除外した残りのシンボルのうち、副搬送波インデックスが増加した後、その次にシンボルインデックスが増加する順に実行れる。
【００１１】
前記ＤＭＲＳのためのシンボルは、ノーマルＣＰ（Ｃｙｃｌｉｃ  Ｐｒｅｆｉｘ）が使われるサブフレームでは、２番目のシンボル及び６番目のシンボルであり、または４番目のシンボルであり、または３番目の乃至５番目のシンボルである。拡張ＣＰが使われるサブフレームでは、３番目のシンボルであり、または４番目のシンボルであり、または３番目の及び４番目のシンボルである。
【００１２】
前記アップリンクサブフレームで前記ＰＵＣＣＨの送信とＳＲＳ（Ｓｏｕｎｄｉｎｇ  Ｒｅｆｅｒｅｎｃｅ  Ｓｉｇｎａｌ）の送信が同時設定された場合、前記サブフレームの最後のシンボル上では前記ＰＵＣＣＨが送信されない。
【００１３】
前記サブフレームの最後のシンボル上で前記ＰＵＣＣＨが送信されないことは、前記ＵＥが前記同じアップリンクサブフレームでＳＲＳを送信する場合、前記アップリンクサブフレームがセル−特定的なＳＲＳが設定されたサブフレームであり、前記ＰＵＣＣＨの送信がセル−特定的なＳＲＳ帯域幅と部分的に重なる場合、前記アップリンクサブフレームがＵＥ−特定的で且つ非周期的なＳＲＳサブフレームであり、ＳＲＳ送信が予約された場合、または前記ＵＥが複数のＴＡＧ（Ｔｉｍｉｎｇ  Ａｄｖａｎｃｅ  Ｇｒｏｕｐ）を設定し、前記アップリンクサブフレームは、ＵＥ−特定的で且つ周期的なＳＲＳサブフレームであり、ＳＲＳ送信が予約された場合に実行される。
【００１４】
また、前述した目的を達成するために、本明細書の一開示は、５個を超えるセルをキャリアアグリゲーション（ＣＡ）によって使用する場合、アップリンク制御情報（ＵＣＩ）を含むＰＵＣＣＨ（Ｐｈｙｓｉｃａｌ  Ｕｐｌｉｎｋ  Ｃｏｎｔｒｏｌ  Ｃｈａｎｎｅｌ）を送信するユーザ装置（Ｕｓｅｒ  Ｅｑｕｉｐｍｅｎｔ：ＵＥ）を提供する。前記ユーザ装置は、ＲＦ部；及び、前記ＲＦ部を含むプロセッサ；を含む。前記プロセッサは：２０ビットを超えるＫビットのＵＣＩをエンコーディングしてＮビットのエンコーディングされたビットを出力する過程；及び、前記エンコーディングされたＮビットに対して直交カバーコード（ｏｒｔｈｏｇｏｎａｌ  ｃｏｖｅｒ  ｃｏｄｅ：ＯＣＣ）を適用することなく、アップリンクサブフレーム内のＲＥ（Ｒｅｓｏｕｒｃｅ  Ｅｌｅｍｅｎｔｓ）にマッピングする過程；を実行する。ここで、前記アップリンクサブフレームは、２個のシンボルを含み、各シンボルは、周波数軸に１２個の副搬送波と、時間軸に６個または７個のシンボルを含む。前記マッピング過程ではＤＭＲＳ（ＤｅＭｏｄｕｌａｔｉｏｎ  Ｒｅｆｅｒｅｎｃｅ  Ｓｉｇｎａｌ）のためのシンボルを除外した残りのシンボルのうち、シンボルインデックス及び副搬送波インデックスによって実行される。
本発明は、例えば、以下を提供する。
（項目１）
ユーザ装置（Ｕｓｅｒ  Ｅｑｕｉｐｍｅｎｔ：ＵＥ）で５個を超えるセルをキャリアアグリゲーション（ＣＡ）によって使用する場合、アップリンク制御情報（ＵＣＩ）を含むＰＵＣＣＨ（Ｐｈｙｓｉｃａｌ  Ｕｐｌｉｎｋ  Ｃｏｎｔｒｏｌ  Ｃｈａｎｎｅｌ）を送信する方法であって、
２０ビットを超えるＫビットのＵＣＩをエンコーディングしてＮビットのエンコーディングされたビットを出力するステップ；及び、
前記エンコーディングされたＮビットに対して直交カバーコード（ｏｒｔｈｏｇｏｎａｌ  ｃｏｖｅｒ  ｃｏｄｅ：ＯＣＣ）を適用することなく、アップリンクサブフレーム内のＲＥ（Ｒｅｓｏｕｒｃｅ  Ｅｌｅｍｅｎｔｓ）にマッピングするステップ；を含み、
ここで、前記アップリンクサブフレームは、２個のシンボルを含み、各シンボルは、周波数軸に１２個の副搬送波と、時間軸に６個または７個のシンボルを含み、
前記マッピングステップではＤＭＲＳ（ＤｅＭｏｄｕｌａｔｉｏｎ  Ｒｅｆｅｒｅｎｃｅ  Ｓｉｇｎａｌ）のためのシンボルを除外した残りのシンボルのうち、シンボルインデックス及び副搬送波インデックスによって実行されることを特徴とするＰＵＣＣＨ送信方法。
（項目２）
前記マッピングステップは、
前記ＤＭＲＳのためのシンボルを除外した残りのシンボルのうち、シンボルインデックスが増加した後、その次に副搬送波インデックスが増加する順に実行されることを特徴とする項目１に記載のＰＵＣＣＨ送信方法。
（項目３）
前記マッピングステップは、
前記ＤＭＲＳのためのシンボルを除外した残りのシンボルのうち、副搬送波インデックスが増加した後、その次にシンボルインデックスが増加する順に実行されることを特徴とする項目１に記載のＰＵＣＣＨ送信方法。
（項目４）
前記ＤＭＲＳのためのシンボルは、
ノーマルＣＰ（Ｃｙｃｌｉｃ  Ｐｒｅｆｉｘ）が使われるサブフレームでは、２番目のシンボル及び６番目のシンボルであり、または４番目のシンボルであり、または３番目の乃至５番目のシンボルであり、
拡張ＣＰが使われるサブフレームでは、３番目のシンボルであり、または４番目のシンボルであり、または３番目の及び４番目のシンボルであることを特徴とする項目１に記載のＰＵＣＣＨ送信方法。
（項目５）
前記アップリンクサブフレームで前記ＰＵＣＣＨの送信とＳＲＳ（Ｓｏｕｎｄｉｎｇ  Ｒｅｆｅｒｅｎｃｅ  Ｓｉｇｎａｌ）の送信が同時設定された場合、前記サブフレームの最後のシンボル上では前記ＰＵＣＣＨが送信されないことを特徴とする項目１に記載のＰＵＣＣＨ送信方法。
（項目６）
前記ＵＥが前記同じアップリンクサブフレームでＳＲＳを送信する場合、
前記アップリンクサブフレームがセル−特定的なＳＲＳが設定されたサブフレームであり、前記ＰＵＣＣＨの送信がセル−特定的なＳＲＳ帯域幅と部分的に重なる場合、
前記アップリンクサブフレームがＵＥ−特定的で且つ非周期的なＳＲＳサブフレームであり、ＳＲＳ送信が予約された場合、または
前記ＵＥが複数のＴＡＧ（Ｔｉｍｉｎｇ  Ａｄｖａｎｃｅ  Ｇｒｏｕｐ）を設定し、前記アップリンクサブフレームは、ＵＥ−特定的で且つ周期的なＳＲＳサブフレームであり、ＳＲＳ送信が予約された場合、
前記サブフレームの最後のシンボル上で前記ＰＵＣＣＨが送信されないことを特徴とする項目１に記載のＰＵＣＣＨ送信方法。
（項目７）
５個を超えるセルをキャリアアグリゲーション（ＣＡ）によって使用する場合、アップリンク制御情報（ＵＣＩ）を含むＰＵＣＣＨ（Ｐｈｙｓｉｃａｌ  Ｕｐｌｉｎｋ  Ｃｏｎｔｒｏｌ  Ｃｈａｎｎｅｌ）を送信するユーザ装置（Ｕｓｅｒ  Ｅｑｕｉｐｍｅｎｔ：ＵＥ）であって、
ＲＦ部；及び、
前記ＲＦ部を含むプロセッサ；を含み、前記プロセッサは：
２０ビットを超えるＫビットのＵＣＩをエンコーディングしてＮビットのエンコーディングされたビットを出力する過程；及び、
前記エンコーディングされたＮビットに対して直交カバーコード（ｏｒｔｈｏｇｏｎａｌ  ｃｏｖｅｒ  ｃｏｄｅ：ＯＣＣ）を適用することなく、アップリンクサブフレーム内のＲＥ（Ｒｅｓｏｕｒｃｅ  Ｅｌｅｍｅｎｔｓ）にマッピングする過程；を実行し、
ここで、前記アップリンクサブフレームは、２個のシンボルを含み、各シンボルは、周波数軸に１２個の副搬送波と、時間軸に６個または７個のシンボルを含み、
前記マッピング過程ではＤＭＲＳ（ＤｅＭｏｄｕｌａｔｉｏｎ  Ｒｅｆｅｒｅｎｃｅ  Ｓｉｇｎａｌ）のためのシンボルを除外した残りのシンボルのうち、シンボルインデックス及び副搬送波インデックスによって実行されることを特徴とするユーザ装置。
（項目８）
前記プロセッサは、前記マッピングを
前記ＤＭＲＳのためのシンボルを除外した残りのシンボルのうち、シンボルインデックスが増加した後、その次に副搬送波インデックスが増加する順に実行することを特徴とする項目７に記載のユーザ装置。
（項目９）
前記プロセッサは、前記マッピングを
前記ＤＭＲＳのためのシンボルを除外した残りのシンボルのうち、副搬送波インデックスが増加した後、その次にシンボルインデックスが増加する順に実行することを特徴とする項目７に記載のユーザ装置。
（項目１０）
前記ＤＭＲＳのためのシンボルは、
ノーマルＣＰ（Ｃｙｃｌｉｃ  Ｐｒｅｆｉｘ）が使われるサブフレームでは、２番目のシンボル及び６番目のシンボルであり、または４番目のシンボルであり、または３番目の乃至５番目のシンボルであり、
拡張ＣＰが使われるサブフレームでは、３番目のシンボルであり、または４番目のシンボルであり、または３番目の及び４番目のシンボルであることを特徴とする項目７に記載のユーザ装置。
（項目１１）
前記アップリンクサブフレームで前記ＰＵＣＣＨの送信とＳＲＳ（Ｓｏｕｎｄｉｎｇ  Ｒｅｆｅｒｅｎｃｅ  Ｓｉｇｎａｌ）の送信が同時設定された場合、前記サブフレームの最後のシンボル上では前記ＰＵＣＣＨが送信されないことを特徴とする項目７に記載のユーザ装置。
（項目１２）
前記ＵＥが前記同じアップリンクサブフレームでＳＲＳを送信する場合、
前記アップリンクサブフレームがセル−特定的なＳＲＳが設定されたサブフレームであり、前記ＰＵＣＣＨの送信がセル−特定的なＳＲＳ帯域幅と部分的に重なる場合、
前記アップリンクサブフレームがＵＥ−特定的で且つ非周期的なＳＲＳサブフレームであり、ＳＲＳ送信が予約された場合、または
前記ＵＥが複数のＴＡＧ（Ｔｉｍｉｎｇ  Ａｄｖａｎｃｅ  Ｇｒｏｕｐ）を設定し、前記アップリンクサブフレームは、ＵＥ−特定的で且つ周期的なＳＲＳサブフレームであり、ＳＲＳ送信が予約された場合、
前記プロセッサが前記サブフレームの最後のシンボル上で前記ＰＵＣＣＨを送信しないことを特徴とする項目７に記載のユーザ装置。
【発明の効果】
【００１５】
本明細書の開示によると、前述した従来技術の問題点が解決されることができる。
【図面の簡単な説明】
【００１６】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【図４】ダウンリンクサブフレームの構造を示す。
【図５】３ＧＰＰ  ＬＴＥでアップリンクサブフレームの構造を示す。
【図６】ＰＵＣＣＨフォーマットによる送信領域を示す例示図である。
【図７ａ】ノーマルＣＰでＰＵＣＣＨフォーマット１ｂのチャネル構造を示す。
【図７ｂ】ノーマルＣＰでＰＵＣＣＨフォーマット２／２ａ／２ｂのチャネル構造を示す。
【図７ｃ】ＰＵＣＣＨフォーマット３のチャネル構造を例示する。
【図８ａ】ＰＵＳＣＨのためのＤＭＲＳが送信されるサブフレームの構造の一例である。
【図８ｂ】ＰＵＳＣＨのためのＤＭＲＳが送信されるサブフレームの構造の一例である。
【図９】次世代無線通信システムになる可能性があるマクロセルと小規模セルの混合された異種ネットワークの環境を示す。
【図１０】次世代無線通信システムになる可能性があるｅＣＡの概念を示す例示図である。
【図１１ａ】ノーマルＣＰの場合、ＯＣＣを介して多重化されるＰＵＣＣＨとＤＭＲＳがマッピングされたシンボルを含むスロットを示す。
【図１１ｂ】ノーマルＣＰの場合、ＯＣＣを介して多重化されるＰＵＣＣＨとＤＭＲＳがマッピングされたシンボルを含むスロットを示す。
【図１１ｃ】ノーマルＣＰの場合、ＯＣＣを介して多重化されるＰＵＣＣＨとＤＭＲＳがマッピングされたシンボルを含むスロットを示す。
【図１１ｄ】ノーマルＣＰの場合、ＯＣＣを介して多重化されるＰＵＣＣＨとＤＭＲＳがマッピングされたシンボルを含むスロットを示す。
【図１１ｅ】ノーマルＣＰの場合、ＯＣＣを介して多重化されるＰＵＣＣＨとＤＭＲＳがマッピングされたシンボルを含むスロットを示す。
【図１２ａ】拡張ＣＰの場合、ＯＣＣを介して多重化されるＰＵＣＣＨとＤＭＲＳがマッピングされたシンボルを含むスロットを示す。
【図１２ｂ】拡張ＣＰの場合、ＯＣＣを介して多重化されるＰＵＣＣＨとＤＭＲＳがマッピングされたシンボルを含むスロットを示す。
【図１２ｃ】拡張ＣＰの場合、ＯＣＣを介して多重化されるＰＵＣＣＨとＤＭＲＳがマッピングされたシンボルを含むスロットを示す。
【図１２ｄ】拡張ＣＰの場合、ＯＣＣを介して多重化されるＰＵＣＣＨとＤＭＲＳがマッピングされたシンボルを含むスロットを示す。
【図１２ｅ】拡張ＣＰの場合、ＯＣＣを介して多重化されるＰＵＣＣＨとＤＭＲＳがマッピングされたシンボルを含むスロットを示す。
【図１３ａ】ノーマルＣＰの場合、縮小されたＰＵＣＣＨフォーマットが適用される第２のスロットを示す。
【図１３ｂ】ノーマルＣＰの場合、縮小されたＰＵＣＣＨフォーマットが適用される第２のスロットを示す。
【図１３ｃ】ノーマルＣＰの場合、縮小されたＰＵＣＣＨフォーマットが適用される第２のスロットを示す。
【図１３ｄ】ノーマルＣＰの場合、縮小されたＰＵＣＣＨフォーマットが適用される第２のスロットを示す。
【図１４ａ】拡張ＣＰの場合、縮小されたＰＵＣＣＨフォーマットが適用される第２のスロットを示す。
【図１４ｂ】拡張ＣＰの場合、縮小されたＰＵＣＣＨフォーマットが適用される第２のスロットを示す。
【図１４ｃ】拡張ＣＰの場合、縮小されたＰＵＣＣＨフォーマットが適用される第２のスロットを示す。
【図１５ａ】ノーマルＣＰの場合、ＯＣＣ−ｌｅｓｓ  ＰＵＣＣＨとＤＭＲＳがマッピングされたシンボルを含むスロットを示す。
【図１５ｂ】ノーマルＣＰの場合、ＯＣＣ−ｌｅｓｓ  ＰＵＣＣＨとＤＭＲＳがマッピングされたシンボルを含むスロットを示す。
【図１５ｃ】ノーマルＣＰの場合、ＯＣＣ−ｌｅｓｓ  ＰＵＣＣＨとＤＭＲＳがマッピングされたシンボルを含むスロットを示す。
【図１６ａ】拡張ＣＰの場合、ＯＣＣ−ｌｅｓｓ  ＰＵＣＣＨとＤＭＲＳがマッピングされたシンボルを含むスロットを示す。
【図１６ｂ】拡張ＣＰの場合、ＯＣＣ−ｌｅｓｓ  ＰＵＣＣＨとＤＭＲＳがマッピングされたシンボルを含むスロットを示す。
【図１６ｃ】拡張ＣＰの場合、ＯＣＣ−ｌｅｓｓ  ＰＵＣＣＨとＤＭＲＳがマッピングされたシンボルを含むスロットを示す。
【図１７】本明細書の開示が具現される無線通信システムを示すブロック図である。
【発明を実施するための形態】
【００１７】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００１８】
本明細書で使われる技術的な用語は、単に特定の実施例を説明するために使われたものであり、本発明を限定するものではないことに留意しなければならない。また、本明細書で使われる技術的な用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的な用語である場合、当業者が正確に理解することができる技術的な用語に変えて理解しなければならない。また、本発明で使われる一般的な用語は、辞書の定義によってまたは前後の文脈によって解釈されなければならず、過度に縮小された意味で解釈されてはならない。
【００１９】
また、本明細書で使われる単数の表現は、文脈上、明白に異なる意味ではない限り、複数の表現を含む。本出願において、“構成される”または“有する”などの用語は、明細書上に記載された複数の構成要素、または複数のステップを必ず全部含むと解釈されてはならず、そのうち一部構成要素または一部ステップは含まない場合もあり、または追加的な構成要素またはステップをさらに含む場合もあると解釈されなければならない。
【００２０】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２１】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２２】
以下、添付図面を参照して本発明による好ましい実施例を詳細に説明し、図面符号に関係なしに同じまたは類似構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００２３】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２４】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００２５】
図１は、無線通信システムである。
【００２６】
図１を参照して分かるように、無線通信システムは、少なくとも一つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００２７】
ＵＥは、通常的に、一つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００２８】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００２９】
一方、無線通信システムは、大いに、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位で区分されるＴＤＤシステムにおいて、アップリンク送信とダウンリンク送信は、互いに異なるサブフレームで実行される。
【００３０】
以下、ＬＴＥシステムに対し、より詳細に説明する。
【００３１】
図２は、３ＧＰＰ  ＬＴＥにおいて、ＦＤＤによる無線フレーム（ｒａｄｉｏ  ｆｒａｍｅ）の構造を示す。
【００３２】
図２に示す無線フレームは、３ＧＰＰ  ＴＳ  ３６.２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）”の５節を参照することができる。
【００３３】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までのスロット番号が付けられる。一つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、一つのスロットは、複数のＯＦＤＭ（ｏｒｔｈｏｇｏｎａｌ  ｆｒｅｑｕｅｎｃｙ  ｄｉｖｉｓｉ  ｏｎ  ｍｕｌｔｉｐｌｅｘｉｎｇ）シンボルを含むことができる。一つのスロットに含まれるＯＦＤＭシンボルの数は、循環前置（ｃｙｃｌｉｃ  ｐｒｅｆｉｘ：ＣＰ）によって変わることができる。ノーマル（ｎｏｒｍａｌ）ＣＰで、１スロットは７ＯＦＤＭシンボルを含み、拡張（ｅｘｔｅｎｄｅｄ）ＣＰで、１スロットは６ＯＦＤＭシンボルを含む。ここで、ＯＦＤＭシンボルは、３ＧＰＰ  ＬＴＥがダウンリンク（ｄｏｗｎｌｉｎｋ、ＤＬ）でＯＦＤＭＡ（ｏｒｏｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限をおくものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００３６】
図３は、３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【００３７】
図３を参照すると、スロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮＲＢ個のリソースブロック（ＲＢ）を含む。例えば、ＬＴＥシステムにおけるリソースブロック（ＲＢ）の個数、即ち、ＮＲＢは６から１１０のうちのいずれかの一つである。
【００３８】
リソースブロック（ｒｅｓｏｕｒｃｅ  ｂｌｏｃｋ：ＲＢ）は、リソース割り当て単位であり、一つのスロットで複数の副搬送波を含む。例えば、一つのスロットが時間領域で７個のＯＦＤＭシンボルを含み、リソースブロックは、周波数領域で１２個の副搬送波を含む場合、一つのリソースブロックは、７×１２個のリソース要素（ｒｅｓｏｕｒｃｅ  ｅｌｅｍｅｎｔ：ＲＥ）を含むことができる。
【００３９】
一方、一つのＯＦＤＭシンボルで副搬送波の数は１２８、２５６、５１２、１０２４、１５３６、及び２０４８の中から一つを選定して使用することができる。
【００４０】
図３の３ＧＰＰ  ＬＴＥで一つのアップリンクスロットに対するリソースグリッドは、ダウンリンクスロットに対するリソースグリッドにも適用されることができる。
【００４１】
図４は、ダウンリンクサブフレームの構造を示す。
【００４２】
図４では、ノーマルＣＰを仮定し、例示的に一つのスロット内に７ＯＦＤＭシンボルが含むことを示す。
【００４３】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００４４】
３ＧＰＰ  ＬＴＥで物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）に分けられ、並びに制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、及びＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００４５】
図５は、３ＧＰＰ  ＬＴＥでアップリンクサブフレームの構造を示す。
【００４６】
図５を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００４７】
一つのＵＥに対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピング（ｆｒｅｑｕｅｎｃｙ−ｈｏｐｐｅｄ）されたという。
【００４８】
ＵＥがアップリンク制御情報を時間によって互いに異なる副搬送波を介して送信することによって、周波数ダイバーシティ（ｆｒｅｑｕｅｎｃｙ  ｄｉｖｅｒｓｉｔｙ）利得を得ることができる。ｍはサブフレーム内でＰＵＣＣＨに割り当てられたリソースブロック対の論理的な周波数領域位置を示す位置インデックスである。
【００４９】
ＰＵＣＣＨ上に送信されるアップリンク制御情報にはＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割り当て要求であるＳＲ（ｓｃｈｅｄｕｌｉｎｇ  ｒｅｑｕｅｓｔ）などがある。
【００５０】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、送信時間区間（ＴＴＩ）の間に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００５１】
図６は、ＰＵＣＣＨフォーマットによる送信領域を示す例示図である。
【００５２】
図６を参照してＰＵＣＣＨフォーマット（ＰＵＣＣＨ  ｆｏｒｍａｔ）について説明する。
【００５３】
ＰＵＣＣＨフォーマット１は、スケジューリング要求（ＳＲ；Ｓｃｈｅｄｕｌｉｎｇ  Ｒｅｑｕｅｓｔ）を伝送する。この際、ＯＯＫ（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｎａｒｙ  Ｐｈａｓｅ  Ｓｈｉｆｔ  Ｋｅｙｉｎｇ）方式により変調されたＡＣＫ／ＮＡＣＫ（Ａｃｋｎｏｗｌｅｄｇｅｍｅｎｔ/Ｎｏｎ−Ａｃｋｎｏｗｌｅｄｇｅｍｅｎｔ）を伝送する。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式により変調されたＡＣＫ／ＮＡＣＫを伝送する。ＰＵＣＣＨフォーマット２は、ＱＰＳＫ方式により変調されたＣＱＩ（Ｃｈａｎｎｅｌ  Ｑｕａｌｉｔｙ  Ｉｎｄｉｃａｔｏｒ）を伝送する。ＰＵＣＣＨフォーマット２ａと２ｂは、ＣＱＩとＡＣＫ／ＮＡＣＫを伝送する。
【００５４】
以下の表は、ＰＵＣＣＨフォーマットを示す。
【表１】
2019149827.tif 000003
【００５５】
各ＰＵＣＣＨフォーマットは、ＰＵＣＣＨ領域にマッピングされて送信される。例えば、ＰＵＣＣＨフォーマット２／２ａ／２ｂは、端末に割り当てられた帯域のエッジのリソースブロック（図６において、ｍ＝０，１）にマッピングされて送信される。混合ＰＵＣＣＨリソースブロック（ｍｉｘｅｄ  ＰＵＣＣＨ  ＲＢ）は、前記ＰＵＣＣＨフォーマット２／２ａ／２ｂが割り当てられるリソースブロックに前記帯域の中心方向に隣接したリソースブロック（例えば、ｍ＝２）にマッピングされて送信されることができる。ＳＲ、ＡＣＫ／ＮＡＣＫが送信されるＰＵＣＣＨフォーマット１／１ａ／１ｂは、ｍ＝４またはｍ＝５であるリソースブロックに配置されることができる。ＣＱＩが送信されるＰＵＣＣＨフォーマット２／２ａ／２ｂに使用されることができるリソースブロックの数（Ｎ（２）ＲＢ）は、ブロードキャスティングされる信号を介して端末に指示されることができる。
【００５６】
図７ａは、ノーマルＣＰでＰＵＣＣＨフォーマット１ｂのチャネル構造を示す。
【００５７】
一つのスロットは、７個のＯＦＤＭシンボルを含み、３個のＯＦＤＭシンボルは、復調のための参照信号、即ち、ＤＭＲＳ（ＤｅＭｏｄｕｌａｔｉｏｎ  Ｒｅｆｅｒｅｎｃｅ  Ｓｉｇｎａｌ）ＯＦＤＭシンボルになり、４個のＯＦＤＭシンボルは、ＡＣＫ／ＮＡＣＫ信号のためのデータＯＦＤＭシンボルになる。
【００５８】
ＰＵＣＣＨフォーマット１ｂでは、エンコーディングされた２ビットＡＣＫ／ＮＡＣＫ信号をＱＰＳＫ（Ｑｕａｄｒａｔｕｒｅ  Ｐｈａｓｅ  Ｓｈｉｆｔ  Ｋｅｙｉｎｇ）変調して変調シンボルｄ（０）が生成される。
【００５９】
循環シフトインデックスＩｃｓは、無線フレーム内のスロット番号（ｎｓ）及び／またはスロット内のシンボルインデックス（ｌ）によって変わることができる。
【００６０】
ノーマルＣＰで、一つのスロットにＡＣＫ／ＮＡＣＫ信号の送信のために４個のデータＯＦＤＭシンボルがあるため、各データＯＦＤＭシンボルで対応する循環シフトインデックスをＩｃｓ０、Ｉｃｓ１、Ｉｃｓ２、Ｉｃｓ３と仮定する。
【００６１】
変調シンボルｄ（０）は、循環シフトされたシーケンスｒ（ｎ、Ｉｃｓ）に拡散される。スロットで（ｉ＋１）番目のＯＦＤＭシンボルに対応する一次元拡散されたシーケンスをｍ（ｉ）とする時、
｛ｍ（０）、ｍ（１）、ｍ（２）、ｍ（３）｝＝｛ｄ（０）ｒ（ｎ、Ｉｃｓ０）、ｄ（０）ｒ（ｎ、Ｉｃｓ１）、ｄ（０）ｒ（ｎ、Ｉｃｓ２）、ｄ（０）ｒ（ｎ、Ｉｃｓ３）｝で表すことができる。
【００６２】
端末容量を増加させるために、一次元拡散されたシーケンスは、直交シーケンスを利用して拡散されることができる。拡散係数（ｓｐｒｅａｄｉｎｇ  ｆａｃｔｏｒ）Ｋ＝４である直交シーケンスｗｉ（ｋ）（ｉは、シーケンスインデックス、０≦ｋ≦Ｋ−１）として以下のようなシーケンスを使用する。
【表２】
2019149827.tif 000004
【００６３】
スロット毎に異なる拡散係数を使用することができる。
【００６４】
したがって、任意の直交シーケンスインデックスｉが与えられる時、２次元拡散されたシーケンス｛ｓ（０）、ｓ（１）、ｓ（２）、ｓ（３）｝は、以下のように示すことができる。
｛ｓ（０）、ｓ（１）、ｓ（２）、ｓ（３）｝＝｛ｗｉ（０）ｍ（０）、ｗｉ（１）ｍ（１）、ｗｉ（２）ｍ（２）、ｗｉ（３）ｍ（３）｝
【００６５】
２次元拡散されたシーケンス｛ｓ（０）、ｓ（１）、ｓ（２）、ｓ（３）｝は、ＩＦＦＴ（ｉｎｖｅｒｓｅ  ｆａｓｔ  Ｆｏｕｒｉｅｒ  ｔｒａｎｓｆｏｒｍ）が実行された後、対応するＯＦＤＭシンボルで送信される。それによって、ＡＣＫ／ＮＡＣＫ信号がＰＵＣＣＨ上に送信される。
【００６６】
ＰＵＣＣＨフォーマット１ｂの参照信号も基本シーケンスｒ（ｎ）を循環シフトさせた後、直交シーケンスに拡散させて送信される。３個のＲＳ  ＯＦＤＭシンボルに対応する循環シフトインデックスをＩｃｓ４、Ｉｃｓ５、Ｉｃｓ６とする時、３個の循環シフトしたシーケンスｒ（ｎ、Ｉｃｓ４）、ｒ（ｎ、Ｉｃｓ５）、ｒ（ｎ、Ｉｃｓ６）を得ることができる。この３個の循環シフトしたシーケンスは、Ｋ＝３である直交シーケンスｗＲＳｉ（ｋ）に拡散される。
【００６７】
直交シーケンスインデックスｉ、循環シフトインデックスＩｃｓ及びリソースブロックインデックスｍは、ＰＵＣＣＨを構成するために必要なパラメータであり、ＰＵＣＣＨ（または、端末）を区分するときに使われるリソースである。可用な循環シフトの個数が１２であり、可用な直交シーケンスインデックスの個数が３である場合、総３６個の端末に対するＰＵＣＣＨが一つのリソースブロックに多重化されることができる。
【００６８】
３ＧＰＰ  ＬＴＥでは、端末がＰＵＣＣＨを構成するための前記３個のパラメータを取得するために、リソースインデックスｎ（１）ＰＵＣＣＨが定義される。リソースインデックスｎ（１）ＰＵＣＣＨ＝ｎＣＣＥ＋Ｎ（１）ＰＵＣＣＨに定義され、ｎＣＣＥは、対応するＰＤＣＣＨ（即ち、ＡＣＫ／ＮＡＣＫ信号に対応するダウンリンクデータをスケジューリングするダウンリンクリソース割当（ＤＣＩ）を含むＰＤＣＣＨ）の送信に使われる１番目のＣＣＥの番号であり、Ｎ（１）ＰＵＣＣＨは、基地局が端末に上位階層メッセージを介して知らせるパラメータである。
【００６９】
ＡＣＫ／ＮＡＣＫ信号の送信に使われる時間、周波数、コードリソースをＡＣＫ／ＮＡＣＫリソースまたはＰＵＣＣＨリソースという。前述したように、ＡＣＫ／ＮＡＣＫ信号をＰＵＣＣＨ上に送信するために必要なＡＣＫ／ＮＡＣＫリソースのインデックス（ＡＣＫ／ＮＡＣＫリソースインデックスまたはＰＵＣＣＨインデックスという）は、直交シーケンスインデックスｉ、循環シフトインデックスＩｃｓ、リソースブロックインデックスｍ及び前記３個のインデックスを求めるためのインデックスのうち少なくともいずれか一つで表現されることができる。ＡＣＫ／ＮＡＣＫリソースは、直交シーケンス、循環シフト、リソースブロック及びそれらの組み合わせのうち少なくともいずれか一つを含むことができる。
【００７０】
図７ｂは、ノーマルＣＰでＰＵＣＣＨフォーマット２／２ａ／２ｂのチャネル構造を示す。
【００７１】
図７ｂを参照すると、ノーマルＣＰで、ＯＦＤＭシンボル１及び５（即ち、２番目及び６番目のＯＦＤＭシンボル）は、復調のための参照信号（ＤＭＲＳ）のために使われ、残りのＯＦＤＭシンボルは、ＣＱＩ送信のために使われる。拡張ＣＰの場合には、ＯＦＤＭシンボル３（４番目のシンボル）がＤＭＲＳのために使われる。
【００７２】
１０個のＣＱＩ情報ビットが、例えば、１／２コードレート（ｃｏｄｅ  ｒａｔｅ）でチャネルコーディングされ、２０個のコーディングされたビットになる。チャネルコーディングには、リードマラー（Ｒｅｅｄ−Ｍｕｌｌｅｒ）コードが使われることができる。また、スクランブリング（ｓｃｒａｍｂｌｉｎｇ）された後、ＱＰＳＫコンステレーションマッピング（ｃｏｎｓｔｅｌｌａｔｉｏｎ  ｍａｐｐｉｎｇ）されることで、ＱＰＳＫ変調シンボルが生成される（スロット０で、ｄ（０）乃至ｄ（４））。各ＱＰＳＫ変調シンボルは、長さ１２である基本ＲＳシーケンス（ｒ（ｎ））の循環シフトに変調された後にＩＦＦＴされ、サブフレーム内の１０個のＳＣ−ＦＤＭＡシンボルの各々で送信される。均一に離隔された１２個の循環シフトは、１２個の互いに異なる端末らが同じＰＵＣＣＨリソースブロックで直交に多重化されるようにする。ＯＦＤＭシンボル１及び５に適用されるＲＳシーケンスは、長さ１２である基本ＲＳシーケンス（ｒ（ｎ））が使われることができる。
【００７３】
図７ｃは、ＰＵＣＣＨフォーマット３のチャネル構造を例示する。
【００７４】
図７ｃを参照すると、ＰＵＣＣＨフォーマット３は、ブロックスプレッディング（ｂｌｏｃｋ  ｓｐｒｅａｄｉｎｇ）技法を使用するＰＵＣＣＨフォーマットである。ブロックスプレッディング技法は、ブロックスプレッディングコードを利用してマルチビットＡＣＫ／ＮＡＣＫを変調したシンボルシーケンスを時間領域で拡散する方法を意味する。
【００７５】
ＰＵＣＣＨフォーマット３では、シンボルシーケンス（例えば、ＡＣＫ／ＮＡＣＫシンボルシーケンス）がブロックスプレッディングコードにより時間領域で拡散されて送信される。ブロックスプレッディングコードとして、直交カバーコード（ｏｒｔｈｏｇｏｎａｌ  ｃｏｖｅｒ  ｃｏｄｅ：ＯＣＣ）が使われることができる。ブロックスプレッディングコードにより複数の端末の制御信号が多重化されることができる。ＰＵＣＣＨフォーマット２では、各データシンボルで送信されるシンボル（例えば、図７ｂのｄ（０）、ｄ（１）、ｄ（２）、ｄ（３）、ｄ（４）等）が異なり、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスの循環シフトを利用して端末多重化を実行し、それに対し、ＰＵＣＣＨフォーマット３では、一つ以上のシンボルで構成されるシンボルシーケンスが各データシンボルの周波数領域にわたって送信され、ブロックスプレッディングコードにより時間領域で拡散されて端末多重化を実行するという点が異なる。図７ｃでは、一つのスロットで２個のＤＭＲＳシンボルを使用する場合を例示したが、これに制限されるものではなく、３個のＤＭＲＳシンボルを使用し、スプレッディングファクタ（ｓｐｒｅａｄｉｎｇ  ｆａｃｔｏｒ）値として４を有する直交カバーコードを使用することもできる。ＤＭＲＳシンボルは、特定循環シフトを有するＣＡＺＡＣシーケンスから生成されることができ、時間領域の複数のＤＭＲＳシンボルに特定直交カバーコードが積算された形態で送信されることができる。
【００７６】
＜アップリンク参照信号＞
以下、アップリンク参照信号に対して説明する。
【００７７】
参照信号は、一般的にシーケンスで送信される。参照信号シーケンスは、特別な制限無しで任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトしたシーケンス（ｃｙｃｌｉｃａｌｌｙ  ｓｈｉｆｔｅｄ  ｓｅｑｕｅｎｃｅ）を利用することができる。
【００７８】
アップリンク参照信号は、復調参照信号（ＤＭＲＳ；ｄｅｍｏｄｕｌａｔｉｏｎ  ｒｅｆｅｒｅｎｃｅ  ｓｉｇｎａｌ）とサウンディング参照信号（ＳＲＳ；ｓｏｕｎｄｉｎｇ  ｒｅｆｅｒｅｎｃｅ  ｓｉｇｎａｌ）とに区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに利用する。ＳＲＳは、ＰＵＳＣＨまたはＰＵＣＣＨの送信と結合されない。ＤＭＲＳとＳＲＳのために同じ種類の基本シーケンスが使われることができる。一方、アップリンク多重アンテナ送信において、ＤＭＲＳに適用されたプリコーディングは、ＰＵＳＣＨに適用されたプリコーディングと同じである。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。３ＧＰＰ  ＬＴＥ−Ａシステムにおいて、ＳＲＳは、プリコーディングされずに、アンテナ特定された参照信号である。
【００７９】
参照信号シーケンスｒｕ、ｖ（α）（ｎ）は、以下の数式により基本シーケンスｂｕ、ｖ（ｎ）と循環シフトαに基づいて定義されることができる。
【数１】
2019149827.tif 000005
【００８０】
数式１において、ＭｓｃＲＳ＝ｍ＊ＮｓｃＲＢ（１≦ｍ≦ＮＲＢｍａｘ、ＵＬ）は、参照信号シーケンスの長さを示す。ＮｓｃＲＢは、周波数領域で副搬送波の個数で表すリソースブロックの大きさを示し、ＮＲＢｍａｘ、ＵＬは、ＮｓｃＲＢの倍数で表すアップリンク帯域幅の最大値を示す。複数の参照信号シーケンスは、一つの基本シーケンスから循環シフト値であるαを異なるように適用して定義されることができる。
【００８１】
基本シーケンスｂｕ、ｖ（ｎ）は、複数のグループに分けられ、そのとき、ｕ∈｛０、１、...、２９｝はグループ番号を示し、ｖはグループ内で基本シーケンス番号を示す。基本シーケンスは、基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ、ＵＬであるｍに対しては長さがＭｓｃＲＳである２個の基本シーケンス（ｖ＝０、１）を含む。シーケンスグループ番号ｕとグループ内の基本シーケンス番号ｖは、後述するグループホッピング（ｇｒｏｕｐ  ｈｏｐｐｉｎｇ）またはシーケンスホッピング（ｓｅｑｕｅｎｃｅ  ｈｏｐｐｉｎｇ）のように時間によって変わることができる。
【００８２】
参照信号シーケンスの長さが３ＮｓｃＲＢまたはそれ以上である場合、基本シーケンスは、以下の数式により定義されることができる。
【数２】
2019149827.tif 000006
【００８３】
以上の数式において、ｑはＺＣ（Ｚａｄｏｆｆ−Ｃｈｕ）シーケンスのルートインデックス（ｒｏｏｔ  ｉｎｄｅｘ）を示す。ＮＺＣＲＳは、ＺＣシーケンスの長さであり、ＭｓｃＲＳより小さい最大素数（ｐｒｉｍｅ  ｎｕｍｂｅｒ）として与えられることができる。ルートインデックスｑであるＺＣシーケンスは、数式４により定義されることができる。
【数３】
2019149827.tif 000007
【００８４】
以上の数式において、ｑは、以下の数式により与えられることができる。
【数４】
2019149827.tif 000008
【００８５】
参照信号シーケンスの長さが３ＮｓｃＲＢ以下である場合、基本シーケンスは、以下の数式により定義されることができる。
【数５】
2019149827.tif 000009
【００８６】
以下の表は、ＭｓｃＲＳ＝ＮｓｃＲＢの時、φ（ｎ）を定義した例示である。
【表３】
2019149827.tif 000010
【００８７】
以下の表は、ＭｓｃＲＳ＝２＊ＮｓｃＲＢの時、φ（ｎ）を定義した例示である。
【表４−１】
2019149827.tif 000011
【表４−２】
2019149827.tif 000012
【００８８】
参照信号のホッピングは、以下のように適用されることができる。
【００８９】
スロットｎｓのシーケンスグループ番号ｕは、以下の数式によりグループホッピングパターンｆｇｈ（ｎｓ）とシーケンスシフトパターンｆｓｓに基づいて定義されることができる。
【数６】
2019149827.tif 000013
【００９０】
１７個の互いに異なるグループホッピングパターンと３０個の互いに異なるシーケンスシフトパターンが存在できる。グループホッピングは、上位階層により提供されるセル特定パラメータであるＧｒｏｕｐ−ｈｏｐｐｉｎｇ−ｅｎａｂｌｅｄパラメータにより適用されることもあり、適用されないこともある。また、ＰＵＳＣＨのためのグループホッピングは、端末特定パラメータであるＤｉｓａｂｌｅ−ｓｅｑｕｅｎｃｅ−ｇｒｏｕｐ−ｈｏｐｐｉｎｇパラメータにより特定ＵＥに対しては適用されないこともある。ＰＵＣＣＨとＰＵＳＣＨは、同じグループホッピングパターンを有することができ、互いに異なるシーケンスシフトパターンを有することができる。
【００９１】
グループホッピングパターンｆｇｈ（ｎｓ）は、ＰＵＳＣＨとＰＵＣＣＨに対して同じであり、以下の数式により定義されることができる。
【数７】
2019149827.tif 000014
【００９２】
以上の数式において、ｃ（ｉ）は、ＰＮシーケンスである疑似ランダムシーケンス（ｐｓｅｕｄｏ−ｒａｎｄｏｍ  ｓｅｑｕｅｎｃｅ）であり、長さ−３１のゴールド（Ｇｏｌｄ）シーケンスにより定義されることができる。以下の数式は、ゴールドシーケンスｃ（ｎ）の一例を示す。
【数８】
2019149827.tif 000015
【００９３】
ここで、Ｎｃ＝１６００であり、ｘ１（ｉ）は第１のｍ−シーケンスであり、ｘ２（ｉ）は第２のｍ−シーケンスである。疑似ランダムシーケンス生成器は、各無線フレームのはじめで
【化１】
2019149827.tif 000016
【００９４】
で初期化されることができる。
【００９５】
シーケンスシフトパターンｆｓｓの定義は、ＰＵＣＣＨとＰＵＳＣＨに対して互いに異なる。ＰＵＣＣＨのシーケンスシフトパターンｆｓｓＰＵＣＣＨ＝ＮＩＤｃｅｌｌ  ｍｏｄ  ３０として与えられることができる。ＰＵＳＣＨのシーケンスシフトパターンｆｓｓＰＵＳＣＨ＝（ｆｓｓＰＵＣＣＨ＋Δｓｓ）ｍｏｄ３０として与えられることができ、Δｓｓ∈｛０、１、...、２９｝は、上位階層により構成されることができる。
【００９６】
シーケンスホッピングは、長さが６ＮｓｃＲＢより長い参照信号シーケンスにのみ適用されることができる。長さが６ＮｓｃＲＢより短い参照信号シーケンスに対し、基本シーケンスグループ内での基本シーケンス番号ｖ＝０として与えられる。長さが６ＮｓｃＲＢより長い参照信号シーケンスに対して、スロットｎｓで基本シーケンスグループ内での基本シーケンス番号ｖは、数式１０により定義されることができる。
【数９】
2019149827.tif 000017
【００９７】
ｃ（ｉ）は、以上の数式８の例示により表現されることができる。シーケンスホッピングは、上位階層により提供されるセル特定パラメータであるＳｅｑｕｅｎｃｅ−ｈｏｐｐｉｎｇ−ｅｎａｂｌｅｄパラメータにより適用されることもあり、適用されないこともある。また、ＰＵＳＣＨのためのシーケンスホッピングは、端末特定パラメータであるＤｉｓａｂｌｅ−ｓｅｑｕｅｎｃｅ−ｇｒｏｕｐ−ｈｏｐｐｉｎｇパラメータにより特定ＵＥに対しては適用されないこともある。疑似ランダムシーケンス生成器は、各無線フレームのはじめで
【化２】
2019149827.tif 000018
【００９８】
で初期化されることができる。
【００９９】
レイヤλ（０、１、...、γ−１）によるＰＵＳＣＨ  ＤＭＲＳシーケンスｒＰＵＳＣＨ（λ）（.）は、数式１１により定義されることができる。
【数１０】
2019149827.tif 000019
【０１００】
以上の数式において、ｍ＝０、１、...であり、ｎ＝０、...、ＭｓｃＲＳ−１である。ＭｓｃＲＳ＝ＭｓｃＰＵＳＣＨである。直交シーケンス（ｏｒｔｈｏｇｏｎａｌ  ｓｅｑｕｅｎｃｅ）ｗ（λ）（ｍ）は、後述する表によって決定されることができる。
【０１０１】
スロットｎｓで循環シフトα＝２πｎｃｓ／１２として与えられ、ｎｃｓは、以下の数式により定義されることができる。
【数１１】
2019149827.tif 000020
【０１０２】
以上の数式において、ｎ（１）ＤＭＲＳは、上位階層により提供されるｃｙｃｌｉｃＳｈｉｆｔパラメータによって決定されることができる。以下の表は、ｃｙｃｌｉｃＳｈｉｆｔパラメータによって決定されるｎ（１）ＤＭＲＳの例示を示す。
【表５】
2019149827.tif 000021
【０１０３】
また、以上の数式において、ｎ（２）ＤＭＲＳ、λは、対応されるＰＵＳＣＨ送信によるトランスポートブロックのためのＤＣＩフォーマット０内のＤＭＲＳ循環シフトフィールド（ｃｙｃｌｉｃ  ｓｈｉｆｔ  ｆｉｅｌｄ）によって決定されることができる。以下の表は、前記ＤＭＲＳ循環シフトフィールドによって決定されるｎ（２）ＤＭＲＳ、λの例示である。
【表６】
2019149827.tif 000022
【０１０４】
ｎＰＮ（ｎｓ）は、以下の数式により定義されることができる。
【数１２】
2019149827.tif 000023
【０１０５】
ｃ（ｉ）は、以上の数式８の例示により表現されることができ、ｃ（ｉ）のセル別に（ｃｅｌｌ−ｓｐｅｃｉｆｉｃ）適用されることができる。疑似ランダムシーケンス生成器は、各無線フレームのはじめで
【化３】
2019149827.tif 000024
【０１０６】
で初期化されることができる。
【０１０７】
参照信号のベクトル（ｖｅｃｔｏｒ）は、以下の数式によりプリコーディングされることができる。
【数１３】
2019149827.tif 000025
【０１０８】
以上の数式において、Ｐは、ＰＵＳＣＨ送信のために使われるアンテナポートの個数である。Ｗは、プリコーディング行列である。単一アンテナポートを使用するＰＳＵＣＨ送信に対してＰ＝１、Ｗ＝１、γ＝１である。また、空間多重化（ｓｐａｔｉａｌ  ｍｕｌｔｉｐｌｅｘｉｎｇ）に対してＰ＝２または４である。
【０１０９】
ＰＵＳＣＨ送信に使われる各アンテナポートに対して、ＤＭＲＳシーケンスは、振幅スケーリング因子（ａｍｐｌｉｔｕｄｅ  ｓｃａｌｉｎｇ  ｆａｃｔｏｒ）βＰＵＳＣＨと積算され、リソースブロックに順序通りにマッピングされる。マッピング時に使われる物理リソースブロックの集合は、対応されるＰＵＳＣＨ送信に使われる物理リソースブロックの集合と同じである。サブフレーム内で前記ＤＭＲＳシーケンスは、まず、周波数領域で増加する方向に、そして、スロット番号が増加する方向に、リソース要素にマッピングされることができる。ＤＭＲＳシーケンスは、ノーマルＣＰである場合、４番目のＳＣ−ＦＤＭＡシンボル（ＳＣ−ＦＤＭＡシンボルインデックス３）、拡張ＣＰである場合、３番目のＳＣ−ＦＤＭＡシンボル（ＳＣ−ＦＤＭＡシンボルインデックス２）にマッピングされることができる。
【０１１０】
図８ａ及び図８ｂは、ＰＵＳＣＨのためのＤＭＲＳが送信されるサブフレームの構造の一例である。
【０１１１】
図８ａのサブフレームの構造は、ノーマルＣＰの場合を示す。サブフレームは、第１のスロットと第２のスロットを含む。第１のスロットと第２のスロットの各々は、７ＳＣ−ＦＤＭＡシンボルを含む。サブフレーム内の１４ＳＣ−ＦＤＭＡシンボルは、０から１３までのシンボルインデックスが付けられる。シンボルインデックスが３及び１０であるＳＣ−ＦＤＭＡシンボルを介して基準信号が送信されることができる。基準信号は、シーケンスを利用して送信されることができる。基準信号シーケンスとしてＺＣ（Ｚａｄｏｆｆ−Ｃｈｕ）シーケンスが使われることができ、ルートインデックス（ｒｏｏｔ  ｉｎｄｅｘ）と循環シフト（ｃｙｃｌｉｃ  ｓｈｉｆｔ）値によって多様なＺＣシーケンスが生成されることができる。基地局は、端末に互いに異なる循環シフト値を割り当てて直交（ｏｒｔｈｏｇｏｎａｌ）シーケンスまたは準直交（ｑｕａｓｉ−ｏｒｔｈｏｇｏｎａｌ）シーケンスを介して複数の端末のチャネルを推定することができる。前記サブフレーム内の２個のスロットで基準信号が占める周波数領域の位置は、互いに同じこともあり、異なることもある。２個のスロットでは同じ基準信号シーケンスが使われる。基準信号が送信されるＳＣ−ＦＤＭＡシンボルを除外した残りのＳＣ−ＦＤＭＡシンボルを介してデータが送信されることができる。
【０１１２】
図８ｂのサブフレームの構造は、拡張ＣＰの場合を示す。サブフレームは、第１のスロットと第２のスロットを含む。第１のスロットと第２のスロットの各々は、６ＳＣ−ＦＤＭＡシンボルを含む。サブフレーム内の１２ＳＣ−ＦＤＭＡシンボルは、０から１１までのシンボルインデックスが付けられる。シンボルインデックスが２及び８であるＳＣ−ＦＤＭＡシンボルを介して基準信号が送信される。基準信号が送信されるＳＣ−ＦＤＭＡシンボルを除外した残りのＳＣ−ＦＤＭＡシンボルを介してデータが送信される。
【０１１３】
＜キャリアアグリゲーション＞
以下、キャリアアグリゲーション（ｃａｒｒｉｅｒ  ａｇｇｒｅｇａｔｉｏｎ：ＣＡ）システムに対して説明する。
【０１１４】
キャリアアグリゲーションシステムは、多数のコンポーネントキャリア（ｃｏｍｐｏｎｅｎｔ  ｃａｒｒｉｅｒ：ＣＣ）をアグリゲーションすることを意味する。このようなキャリアアグリゲーションにより、既存のセルの意味が変更された。キャリアアグリゲーションによると、セルとは、ダウンリンクコンポーネントキャリアとアップリンクコンポーネントキャリアの組み合わせ、または単独のダウンリンクコンポーネントキャリアを意味する。
【０１１５】
また、キャリアアグリゲーションにおいて、セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルとして指示されたセルを意味する。セカンダリセルは、セカンダリ周波数で動作するセルを意味し、ＲＲＣ接続が確立されると設定され、追加的な無線リソースの提供に使われる。
【０１１６】
前述したように、キャリアアグリゲーションシステムでは、単一搬送波システムとは違って、複数のコンポーネントキャリア（ＣＣ）、即ち、複数のサービングセルをサポートすることができる。
【０１１７】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をできるスケジューリング方法である。
【０１１８】
＜小規模セル（ｓｍａｌｌ  ｃｅｌｌ）の導入＞
一方、次世代移動通信システムでは、セルカバレッジ半径が小さい小規模セル（ｓｍａｌｌ  ｃｅｌｌ）が既存セルのカバレッジ内に追加されることと予想され、小規模セルは、より多いトラフィックを処理することと予想される。前記既存セルは、前記小規模セルに比べてカバレッジが大きいため、マクロセル（Ｍａｃｒｏ  ｃｅｌｌ）とも呼ばれる。以下、図１０を参照して説明する。
【０１１９】
図９は、次世代無線通信システムになる可能性があるマクロセルと小規模セルの混合された異種ネットワークの環境を示す。
【０１２０】
図９を参照すると、既存基地局２００によるマクロセルは、一つ以上の小規模基地局３００ａ、３００ｂ、３００ｃ、３００ｄによる小規模セルと重なった異種ネットワーク環境が示されている。前記既存基地局は、前記小規模基地局に比べて大きいカバレッジを提供するため、マクロ基地局（Ｍａｃｒｏ  ｅＮｏｄｅＢ、ＭｅＮＢ）とも呼ばれる。本明細書では、マクロセルとマクロ基地局という用語を混用して使用する。マクロセル２００に接続されたＵＥは、マクロＵＥ（Ｍａｃｒｏ  ＵＥ）ともいう。マクロＵＥは、マクロ基地局からダウンリンク信号を受信し、マクロ基地局にアップリンク信号を送信する。
【０１２１】
このような異種ネットワークでは、前記マクロセルをプライマリセル（Ｐｃｅｌｌ）に設定し、前記小規模セルをセカンダリセル（Ｓｃｅｌｌ）に設定することによって、マクロセルのカバレッジ隙間を補うことができる。また、前記小規模セルをプライマリセル（Ｐｃｅｌｌ）に設定し、前記マクロセルをセカンダリセル（Ｓｃｅｌｌ）に設定することによって、全体的な性能を向上（ｂｏｏｓｔｉｎｇ）させることができる。
【０１２２】
一方、前記小規模セルは、現在ＬＴＥ／ＬＴＥ−Ａに配分された周波数帯域を使用し、またはより高い周波数帯域（例えば、３．５ＧＨｚ以上の帯域）を使用することもできる。
【０１２３】
他方、今後ＬＴＥ−Ａシステムにおいて、前記小規模セルは、独立的には使われずに、マクロセルのアシスト下に使われることができるマクロセル−アシスト小規模セル（ｍａｃｒｏ−ａｓｓｉｓｔｅｄ  ｓｍａｌｌ  ｃｅｌｌ）としてのみ使用することも考慮している。
【０１２４】
このような小規模セル３００ａ、３００ｂ、３００ｃ、３００ｄは、互いに類似するチャネル環境を有することができ、互いに近接した距離に位置するため、小規模セル間の干渉が大きい問題になることができる。
【０１２５】
このような干渉影響を減らすために、小規模セル３００ｂ、３００ｃは、自分のカバレッジを拡張または縮小することができる。このように、カバレッジの拡張及び縮小をセルブリージング（ｃｅｌｌ  ｂｒｅａｔｈｉｎｇ）という。例えば、図示されたように、前記小規模セル３００ｂ、３００ｃは、状況によってオン（ｏｎ）され、またはオフ（ｏｆｆ）される。
【０１２６】
他方、前記小規模セルは、現在ＬＴＥ／ＬＴＥ−Ａに配分された周波数帯域を使用し、またはより高い周波数帯域（例えば、３．５ＧＨｚ以上の帯域）を使用することもできる。
【０１２７】
＜改善されたキャリアアグリゲーション（ｅｎｈａｎｃｅｄ  Ｃａｒｒｉｅｒ  Ａｇｇｒｅｇａｔｉｏｎ：ｅＣＡ）＞
図１０は、次世代無線通信システムになる可能性があるｅＣＡの概念を示す例示図である。
【０１２８】
次期システムでは、急激に増加するダウンリンクデータを処理するために、既存５個までの搬送波のみをアグリゲーションすることができたことを改善し、最大Ｙ個の搬送波をアグリゲーションすることができるようにすることを考慮することができる。前記Ｙの値は、８、１６、３２などを考慮することができる。また、キャリアアグリゲーション（ＣＡ）によるセル（例えば、設定されたセルまたは活性化されたセル）を複数のグループに区分して管理することを考慮することができる。
【０１２９】
しかし、５個を超えるセルをキャリアアグリゲーションによって使用する場合、ＨＡＲＱ  ＡＣＫ／ＮＡＣＫは、２０ビットを超えるようになる。しかし、既存ＰＵＣＣＨフォーマットでは、２０ビットを越えるＨＡＲＱ  ＡＣＫ／ＮＡＣＫを送信することができる方法がなかった。
【０１３０】
具体的な例として、ＦＤＤシステムにおいて、１６個のセルをキャリアアグリゲーションによって使用する場合、ＨＡＲＱ  ＡＣＫ／ＮＡＣＫのビットは、空間的なバンドリングを実行する場合には１６ビットであるが、空間的なバンドリング（ｓｐａｔｉａｌ  ｂｕｎｄｌｉｎｇ）を実行しない場合には最大３２ビットである。したがって、１６個のセルをキャリアアグリゲーションによって使用するが、空間的なバンドリングを実行しない場合、既存ＰＵＣＣＨフォーマットでは３２ビットのＨＡＲＱ  ＡＣＫ／ＮＡＣＫを送信することができない。他の例として、ＴＤＤシステムシステムにおいて、一つのアップリンクサブフレームに対応するダウンリンクサブフレームの個数は、個数（以下、Ｍで表示）の値が４である場合を基準にし、１６個のセルをキャリアアグリゲーションによって使用して空間的なバンドリングを使用する場合に、ＵＥが送信すべきＨＡＲＱ  ＡＣＫ／ＮＡＣＫは６４ビットになる。ただし、セルを２個のグループに分け、各セルグループ（Ｃｅｌｌ  Ｇｒｏｕｐ：ＣＧ）に独立的にＰＵＣＣＨリソースを割り当てる場合、ＵＥが各ＣＧ（８個のセル）に送信すべきＨＡＲＱ  ＡＣＫ／ＮＡＣＫは３２ビットである。既存ＰＵＣＣＨフォーマットでは最大２０ビットのＨＡＲＱ  ＡＣＫ／ＮＡＣＫを送信することができ、前記ＵＥは、前記３２ビットのＨＡＲＱ  ＡＣＫ／ＮＡＣＫを送信することができない。さらに、空間的なバンドリングを実行しない場合、ＨＡＲＱ  ＡＣＫ／ＮＡＣＫが１２８ビットまたは６４ビットになるため、前記ＵＥは、既存ＰＵＣＣＨフォーマットでは送信することができない。
【０１３１】
＜本明細書の開示＞
したがって、本明細書の開示は、このような問題点を解決する方案を提示することを目的とする。
【０１３２】
具体的に、本明細書は、ＨＡＲＱ  ＡＣＫ／ＮＡＣＫを含むＵＣＩが最大３２ビットであり、または６４ビットである場合、ＵＥがこれを送信することができるようにするためのコーディングスキーム（ｃｏｄｉｎｇスキーム）とＰＵＣＣＨ送信方法を提案する。
【０１３３】
Ｉ．新しいＰＵＣＣＨフォーマットの提案（仮出願３．１節）
既存ＬＴＥリリース−１１システムのＰＵＣＣＨフォーマット（特に、ＰＵＣＣＨフォーマット３）は、最大２２ビットまでの情報を入力により有することができ、ＨＡＲＱ  ＡＣＫ／ＮＡＣＫのみが送信される場合には最大２０ビット、ＨＡＲＱ  ＡＣＫ／ＮＡＣＫとＳＲが同時送信される場合には最大２１ビット、最後にＨＡＲＱ  ＡＣＫ／ＮＡＣＫ、ＣＳＩ、そしてＳＲが同時送信される場合には最大２２ビットまで送信されることができた。該当ＵＣＩは、ＲＭ（Ｒｅｅｄ−Ｍｕｌｌｅｒ）コーディング（または、二重ＲＭコーディング含む）を介して４８ビットで符号化された以後にＰＵＣＣＨフォーマット３を基準にして１２０ＲＥ（１２＊５＊２）にマッピングされて送信された。その場合、コーディングスキームによる符号化率（ｃｏｄｉｎｇ  ｒａｔｅ）は０．４５８程度であり、マッピングによる最終符号化率は０．０９２である。
【０１３４】
一方、ｅＣＡを使用する場合（グループ当たり８個ＣＣまたは１６個ＣＣである場合）でＨＡＲＱ  ＡＣＫ／ＮＡＣＫのビット数は、最大３２ビットまたは６４ビットに拡張することができ、この場合にはＵＣＩを符号化した以後のビット数（例えば、４８ビット）または最終ＲＥ数（例えば、１２０ＲＥｓ）を拡張することを考慮することができる。
【０１３５】
最終ＲＥ数を変更する方案ではＰＵＣＣＨ送信時にスロット当たりＤＭＲＳが含まれているＯＦＤＭシンボル数を減らすことを考慮することができる。符号化以後のビット数を増加する方案では既存拡散係数（Ｓｐｒｅａｄｉｎｇ  ｆａｃｔｏｒ）の数を減らして符号化ビット数が拡散係数ほど繰り返される程度（例えば、ＰＵＣＣＨフォーマット３を基準にして５）を減少させることを考慮することができる。
【０１３６】
以下、ＯＣＣを利用して複数のＵＥのＰＵＣＣＨが多重化されるスロット内で多重化される例とＤＭＲＳに対して説明する。
【０１３７】
図１１ａ乃至図１１ｅは、ノーマルＣＰの場合、ＯＣＣを介して多重化されるＰＵＣＣＨとＤＭＲＳがマッピングされたシンボルを含むスロットを示す。
【０１３８】
図１１ａ乃至図１１ｅでは、ノーマルＣＰが使われる場合として７個のシンボルを含む一つのスロットを示す。たとえ、図１１ａ乃至図１１ｅでは、サブフレーム内の一つのスロットを示したとしても、残りの他の一つのスロットも同じ場合もある。これと違って、図１１ａ乃至図１１ｅに示すスロットが第１のスロットに該当する場合、第２のスロットは異なる場合もある。
【０１３９】
例えば、図１１ａ乃至図１１ｅに示すスロットは、サブフレーム内の１番目のサブフレームに対応し、サブフレーム内の第２のスロット上では縮小された（ｓｈｏｒｔｅｎｅｄ）ＰＵＣＣＨが送信されることができる。ここで、縮小されたＰＵＣＣＨとは、最後のシンボルでＰＵＣＣＨの代りにＳＲＳ（Ｓｏｕｎｄｉｎｇ  Ｒｅｆｅｒｅｎｃｅ  Ｓｉｇｎａｌ）が送信されることを意味する。この場合、第２のスロットの最後のシンボルは、ＯＣＣの使用から除外されると解釈できる。
【０１４０】
他の例として、前記第１のスロットで２種類のＯＣＣ、即ち、ＯＣＣ１とＯＣＣ２が使われる場合、第２のスロットではＯＣＣ３とＯＣＣ４に使われることを考慮することができる。類似方式で、第１のスロットで３種類のＯＣＣ、即ち、ＯＣＣ１とＯＣＣ２、そしてＯＣＣ３が使われる場合、第２のスロットではＯＣＣ４、ＯＣＣ５、ＯＣＣ６が使われることができる。具体的な例として説明すると、以下の通りである。既存には、ＰＵＣＣＨフォーマット３で、第１のスロットでエンコーディングされた２４ビットが５個のシンボルにマッピングされ、エンコーディングされた残りの２４ビットが第２のスロットの５個ＯＦＤＭシンボルにマッピングされた。しかし、スロット当たりＯＣＣ種類が２個である場合には、第１のスロットで各ＯＣＣに対応されるＯＦＤＭシンボルに互いに異なるエンコーディングされた２４ビット（即ち、第１の２４ビット及び第２の２４ビット）が各々マッピングされ、第２のスロットで各ＯＣＣに対応されるＯＦＤＭシンボルに他のエンコーディングされた２４ビット（即ち、第３の２４ビット及び第４の２４ビット）が各々マッピングされることができるようになる。このように、既存ＰＵＣＣＨフォーマット３でエンコーディングされた４８ビットをマッピングすることができ、それに対し、本明細書の開示によってスロット当たりＯＣＣ種類が２個使われる場合には、エンコーディングされた９６ビットをマッピングすることができるようになり、スロット当たりＯＣＣ種類が３個使われる場合にはエンコーディングされた１４４ビットをマッピングすることができるようになる。
【０１４１】
図１２ａ乃至図１２ｅは、拡張ＣＰの場合、ＯＣＣを介して多重化されるＰＵＣＣＨとＤＭＲＳがマッピングされたシンボルを含むスロットを示す。
【０１４２】
図１２ａ乃至図１２ｅでは、拡張ＣＰが使われる場合として６個のシンボルを含む一つのスロットを示す。
【０１４３】
図１２ａ乃至図１２ｅで示すように、拡張ＣＰが使われる場合には、６４ビットのＵＣＩを送信することができるようにするために、ＯＣＣを使用しない場合もある。この場合に縮小された（ｓｈｏｒｔｅｎｅｄ）ＰＵＣＣＨフォーマットを考慮して最小限各スロットでまたはサブフレームを基準にして最後の二つのＯＦＤＭシンボル上でのみＯＣＣを使用し、または同じ符号化ビットが繰り返してマッピングされることを考慮することができる。
【０１４４】
図１３ａ乃至図１３ｄは、ノーマルＣＰの場合、縮小されたＰＵＣＣＨフォーマットが適用される第２のスロットを示す。図１４ａ乃至図１４ｃは、拡張ＣＰの場合、縮小されたＰＵＣＣＨフォーマットが適用される第２のスロットを示す。
【０１４５】
図１３ａ乃至図１３ｄでは、ノーマルＣＰが使われる場合として７個のシンボルを含む一つのスロットを示す。図１４ａ乃至図１４ｃでは、拡張ＣＰが使われる場合として６個のスロットを含む一つのシンボルを示す。
【０１４６】
図示された各スロットで最後のシンボルがＳＲＳ送信に利用されるため、長さが２であるＯＣＣは、その長さが１に減少するようになる。この場合には複数のＰＵＣＣＨが同じＲＢ（ｐａｉｒ）に多重化されることを許容せず、他のＯＦＤＭシンボルに対してもＯＣＣを追加で適用しないことを考慮することもできる。他の方案として、スロット別にＯＣＣの個数が異なることを考慮することもできる。例えば、ノーマルＣＰの場合、第１のスロットは、図１１ｃに示すように、長さが２であるＯＣＣが３個が使われ、第２のスロットは、図１１ｃに示すように、長さが２であるＯＣＣと長さが３であるＯＣＣが使われることができる。このようにする時、利点は、縮小されたＰＵＣＣＨフォーマット（即ち、ＳＲＳの送信のために最後のシンボルではＰＵＣＣＨが送信されないフォーマット）を使用する場合、図１３ｂに示すように、ＯＣＣを使用し、複数のＰＵＣＣＨを多重化することができる。
【０１４７】
本節でコーディングスキーム及びＲＥマッピングに対する内容は、説明の便宜上、前記新しいフォーマット導入時に対する実施例として説明するが、他の送信方式、一例として複数のＲＢを介したＰＵＣＣＨの送信や複数のＰＵＣＣＨリソースを利用したＰＵＣＣＨ送信などでも本節の説明が適用されることができる。
【０１４８】
ＩＩ．新しいＰＵＣＣＨフォーマット設定方案（仮出願３．４節）
本明細書で提示する新しいフォーマットのＰＵＣＣＨは、ＵＣＩサイズ（即ち、ビット数）が大きい場合を対象に設計したため、ＵＣＩサイズの値が小さい場合には非効率的である。また、５個ＣＣ（即ち、セル）までは既存のＰＵＣＣＨフォーマット３でサポートが可能なため、本明細書で提示する新しいＰＵＣＣＨフォーマット（以下、ＰＵＣＣＨフォーマット４）が使われる条件を指定する必要がある。特に、ＦＤＤの場合には、複数のグループとＰＵＣＣＨリソースをサポートする場合に各グループ当たり８個ＣＣ（即ち、セル）が含まれても、空間的なバンドリング（ｓｐａｔｉａｌ  ｂｕｎｄｌｉｎｇ）無しでＭＩＭＯ動作に対するＨＡＲＱ  ＡＣＫ／ＮＡＣＫを最大１６ビットまでＰＵＣＣＨフォーマット３を利用してサポートすることができる。ＰＵＣＣＨリソースが一つである場合にも、ＦＤＤでは空間的なバンドリング（ｓｐａｔｉａｌ  ｂｕｎｄｌｉｎｇ）をサポートする場合にはＨＡＲＱ  ＡＣＫ／ＮＡＣＫが最大１６ビットであるため、ＰＵＣＣＨフォーマット３でサポートすることができる。以下は、ＦＤＤで新しいＰＵＣＣＨフォーマットを設定する条件に対する一例である。
【０１４９】
第１の例示として、ＦＤＤシステムの場合、またはＦＤＤシステムのＰＣｅｌｌ（または、ＰＳＣｅｌｌ）の場合、新しいＰＵＣＣＨフォーマットを適用しない。設定されたセルが５を超える場合にもＰＵＣＣＨフォーマット３を利用してＨＡＲＱ  ＡＣＫ／ＮＡＣＫを送信することができる。特に、ＨＡＲＱ  ＡＣＫ／ＮＡＣＫビット数が２１または２２ビットを超える場合にも、ＨＡＲＱ  ＡＣＫ／ＮＡＣＫに対して空間的なバンドリング（ｓｐａｔｉａｌ  ｂｕｎｄｌｉｎｇ）を適用して、送信できる。
【０１５０】
第２の例示として、ネットワークは、ＲＲＣを介してＦＤＤ  ＵＥまたはＦＤＤ  ＰＣｅｌｌ（または、ＰＳｅｌｌ）に接続されたＵＥに新しいＰＵＣＣＨフォーマットを設定することができる。または、ネットワークは、空間的なバンドリングを無効に（ｄｉｓａｂｌｅｄ）する。この場合、全体またはグループ内の設定されたセルの個数が５を超えると、ＵＥは、新しいＰＵＣＣＨフォーマットを使用することを仮定する。
【０１５１】
第３の例示として、ＵＥは、全体またはグループ内の設定されたセルの個数が５を超える場合に、ＵＥが新しいＰＵＣＣＨフォーマットを使用することを仮定する。
【０１５２】
複数のセルグループを設定することができる場合、新しいＰＵＣＣＨフォーマット使用可否は、グループ全体に対して同時に使われるようにすることを考慮することもでき、グループ別に使用可否を独立的に設定することを考慮することもできる。前記新しいＰＵＣＣＨフォーマットが使われない場合にはセル個数によってＰＵＣＣＨフォーマット１ａ／１ｂまたはチャネル選択、ＰＵＣＣＨフォーマット３などが使われると解釈できる。
【０１５３】
それに対し、ＴＤＤシステムまたはＰＣｅｌｌがＴＤＤである場合には一つのアップリンクサブフレームに対応するダウンリンクサブフレームの個数がＭ個（例えば、Ｍ＝４、５、６または９）の時、Ｍ＝４を基準にして設定されたセル個数が５である場合にはＨＡＲＱ  ＡＣＫ／ＮＡＣＫビット数は２０であるため、ＰＵＣＣＨフォーマット３でサポート可能なセルの個数は制限的である。以下は、ＴＤＤでまたはＴＤＤ  Ｐｃｅｌｌ（または、ＰＳＣｅｌｌ）である場合に対して新しいＰＵＣＣＨフォーマットを設定する条件に対する一例である。
【０１５４】
第１の例示として、全体またはグループ内設定されたセルの個数が５を超える場合、ＵＥは、新しいＰＵＣＣＨフォーマットを使用することを仮定する。ＴＤＤベースのセルとＦＤＤベースのセルがキャリアアグリゲーションで使われる場合（即ち、ＴＤＤ−ＦＤＤ  ＣＡ）、ＵＥは、ＨＡＲＱ  ＡＣＫ／ＮＡＣＫビット数が２１または２２ビットを超える場合に新しいＰＵＣＣＨフォーマットを使用することを考慮することができる。
【０１５５】
第２の例示として、ネットワークは、ＲＲＣシグナルを介してＴＤＤ  ＵＥまたはＴＤＤ  Ｐｃｅｌｌ（または、ＰＳｅｌｌ）に接続されるＵＥに新しいＰＵＣＣＨフォーマットを使用するように設定する。または、前記ネットワークは、空間的なバンドリングの使用を無効に（ｄｉｓａｂｌｅｄ）する。ただし、ＵＥは、全体またはグループ内設定されたセルの個数が５以下である場合としても、空間的なバンドリング以前のＨＡＲＱ  ＡＣＫ／ＮＡＣＫビット数が２０または２１を超える場合に新しいＰＵＣＣＨフォーマットをサポートする。この場合に、ＨＡＲＱ  ＡＣＫ／ＮＡＣＫに対して空間的なバンドリングを実行しないことを考慮することができる。
【０１５６】
前記複数のセルグループを設定することができる場合に、新しいＰＵＣＣＨフォーマットは、セルグループ全体に対して同時に使われることを考慮することもでき、グループ別に使用可否を独立的に設定することを考慮することもできる。前記新しいＰＵＣＣＨフォーマットが使われない場合にはセル個数によってＰＵＣＣＨフォーマット１ａ／１ｂまたはチャネル選択、ＰＵＣＣＨフォーマット３などが使われると解釈できる。
【０１５７】
また、ＴＤＤでは各アップリンクサブフレーム毎に対応するダウンリンクサブフレームの個数に差がある。一例として、ＴＤＤ  ＵＬ設定３で、アップリンクサブフレーム＃２に対してはＭ＝３であり、アップリンクサブフレーム＃３に対してはＭ＝２である。前記ＴＤＤまたはＴＤＤ  Ｐｃｅｌｌ（または、ＰＳｅｌｌ）に対してＵＥが新しいＰＵＣＣＨフォーマットを使用するかどうかは、（１）便宜上、全てのアップリンクサブフレームに対して同じように適用することを考慮することもでき、（２）または、アップリンクサブフレーム別に独立的に新しいＰＵＣＣＨフォーマット使用可否を決定することもできる。このようにする理由は、ビット数の差によって効率的にＰＵＣＣＨリソースを使用するためである。
【０１５８】
ＩＩＩ．コーディングスキーム適用に対する実施例（仮出願３．５節）
【０１５９】
まず、理解を容易にするために、本節で使われる各表現に対して説明する。
【０１６０】
−ＲＭ（３２、Ａ）：サイズがＡである入力を（３２、Ａ）ＲＭコーディングマトリックスを利用してエンコーディングされた３２ビット出力を作る符号化器及び過程、
【０１６１】
−ＲＭ（Ｙ、Ａ）：Ｙ＞３２の場合には、サイズがＡである入力を（３２、Ａ）ＲＭコーディングマトリックスを利用してエンコーディングされた３２ビットの出力を生成し、再び循環繰り返し（ｃｉｒｃｕｌａｒ  ｒｅｐｅｔｉｔｉｏｎ）を利用して最終的にエンコーディングされたＹビットの出力を作る符号化器及び過程。また、Ｙ＜３２の場合には、サイズがＡである入力を（３２、Ａ）ＲＭコーディングマトリックスを利用してエンコーディングされた３２ビットの出力を生成し、再びＬＳＢから切断（ｔｒｕｎｃａｔｅ）して最終的にエンコーディングされたＹビット出力を作る符号化器及び過程、
【０１６２】
−ＴＢＣＣ（３＊Ａ、Ａ）：サイズがＡである入力を符号化率が１／３であるＴＢＣＣを利用してエンコーディングされた３＊Ａビットの出力を作る符号化器及び過程、
【０１６３】
−ＴＢＣＣ（Ｙ、Ａ）：Ｙ＞３＊Ａである場合には、サイズがＡである入力を符号化率が１／３であるＴＢＣＣを利用してエンコーディングされた３＊Ａビットの出力を生成し、再び循環繰り返し（ｃｉｒｃｕｌａｒ  ｒｅｐｅｔｉｔｉｏｎ）を利用して最終的にエンコーディングされたＹビットの出力を作る符号化器及び過程、それに対し、Ｙ＜３＊Ａである場合には、サイズがＡである入力を符号化率が１／３であるＴＢＣＣを利用してエンコーディングされた３＊Ａビットの出力を生成し、再びＬＳＢから切断（ｔｒｕｎｃａｔｅ）し、または特定パターンでパンクチャリング（ｐｕｎｃｔｕｒｉｎｇ）して最終的にエンコーディングされたＹビットの出力を作る符号化器及び過程、
【０１６４】
−Ｋ：ＵＣＩ（例えば、ＨＡＲＱ  ＡＣＫ／ＮＡＣＫ）のビット数、
【０１６５】
−Ｍ：ビットストリームの個数、
【０１６６】
−Ｎ：（ＣＧ内の）ＵＣＩを符号化した以後の全体エンコーディングされた出力ビット数、
【０１６７】
−Ｌ：コンポーネントエンコーダ（例えば、ＲＭエンコーダ）の個数、
【０１６８】
−Ｑ：シンボル当たりビット数でＱＰＳＫである場合には２であり、１６ＱＡＭである場合には４の値を有する、
【０１６９】
−Ｃｅｉｌ（ｘ）：ｘの値より小さくない最小の整数値（昇順を実行すると理解）、
【０１７０】
−Ｆｌｏｏｒ（ｘ）：ｘの値より大きくない最大の整数値（降順を実行すると理解）、
【０１７１】
以下、適用ステップに対する実施例である。
【０１７２】
ＵＥは、サイズがＫビットであるＵＣＩ（例えば、ＨＡＲＱ  ＡＣＫ／ＮＡＣＫ）に対してＭ個のビットストリームに分ける。ここで、Ｍの値は、Ｃｅｉｌ（Ｋ／１０）またはＣｅｉｌ（Ｋ／１１）である。追加で、前記Ｃｅｉｌ（Ｋ／１０）またはＣｅｉｌ（Ｋ／１１）の値が奇数（ｏｄｄ）である場合には、Ｍの値は、Ｃｅｉｌ（Ｋ／１０）＋１またはＣｅｉｌ（Ｋ／１１）＋１である。または、Ｍの値は、Ｃｅｉｌ（Ｎ／Ｍ’）が２４以上である条件を満たす最大Ｍ’値である場合もある。一例として、Ｋ＝２０で且つＮ＝９６の時、Ｍの値は２、３、４である。
【０１７３】
ａ．前記サイズがＫビットであるＵＣＩは、ＵＣＩのビットインデックスに対してＭｏｄｕｌｏ  Ｍ値を基準にして分けられる。例えば、ビットインデックス０、Ｍ、２Ｍ、...の場合、ビットストリーム０に、ビットインデックス１、Ｍ＋１、２Ｍ＋１、...の場合、ビットストリーム１に再整列されることができる。
【０１７４】
ｂ．または、前記サイズがＫビットであるＵＣＩは、ビットインデックスが低い順序から一定の長さ単位でビットストリームに分けられる。
【０１７５】
ｃ．Ｍ個のビットストリームのうち、長さがｋ＋＝Ｃｅｉｌ（Ｋ／Ｍ）ビットであるビットストリームはＦｌｏｏｒ（Ｋ／ｋ＋）個であり、長さがｋ−＝Ｃｅｉｌ（Ｋ／Ｍ）−１ビットであるビットストリームの個数はＭ−Ｆｌｏｏｒ（Ｋ／ｋ＋）個である。ＫがＭの倍数である場合には、長さがｋ＝Ｋ／ＭであるビットストリームがＭ個である。
【０１７６】
（２）ＵＥは、Ｍ個のビットストリームをＬ個のコンポーネントエンコーダの入力に設定する。ここで、ＭとＬの値は、同じである。Ｌ個のコンポーネントエンコーダで各エンコーダの出力がｎ＋＝Ｃｅｉｌ（Ｎ／Ｌ）ビットであるエンコーダの個数は、Ｆｌｏｏｒ（Ｎ／ｎ＋）であり、各エンコーダの出力長さがｎ−＝Ｃｅｉｌ（Ｎ／Ｌ）−１ビットであるエンコーダの個数は、Ｌ−Ｆｌｏｏｒ（Ｎ／ｎ＋）である。ＮがＬの倍数である場合には、長さがｎ＝Ｎ／ＬであるコンポーネントエンコーダがＬ個である。コンポーネントエンコーダは、ＲＭ（ｎ、ｋ）に設定されることができる。ＮがＬの倍数でない場合、ｎは、前記計算したｎ＋またはｎ−であり、ＫがＭの倍数でない場合、ｋは、ｋ＋またはｋ−である。
【０１７７】
ａ．ＲＭ（ｎ＋、ｋ＋）、ＲＭ（ｎ＋、ｋ−）、ＲＭ（ｎ−、ｋ＋）、ＲＭ（ｎ−、ｋ−）などの組み合わせでＬ個のコンポーネントエンコーダを構成することができる。
【０１７８】
ｂ．ＮがＬの倍数である場合には、Ｆｌｏｏｒ（Ｋ／ｋ＋）個のＲＭ（ｎ、ｋ＋）とＭ−Ｆｌｏｏｒ（Ｋ／ｋ＋）個のＲＭ（ｎ、ｋ−）が設定されることができる。
【０１７９】
ｃ．ＮがＬの倍数であり、ＫがＭの倍数である場合には、Ｌ個のＲＭ（ｎ、ｋ）が設定されることができる。
【０１８０】
（３）前記ＵＥは、Ｌ個のコンポーネントエンコーダで生成されたＬ個の出力ストリームに対してＱ−ビット単位でインターリービング（ｉｎｔｅｒｌｅａｖｉｎｇ）を実行することができる。前記ＵＥは、各出力のＭＳＢからＱビットを抽出して最終出力のＱ＊Ｌビットの値をＭＳＢから記入することができる。同じ方式として、前記ＵＥは、各出力の次のＱビットを抽出して最終出力の次のＱ＊Ｌビット値を記入することができる。前記動作の繰り返しを介してＮビットの最終出力を生成することができる。例えば、１番目のエンコーダの１番目のＱビット、２番目のエンコーダの１番目のＱビット、...Ｌ番目のエンコーダの１番目のＱビット、１番目のエンコーダの２番目のＱビット、２番目のエンコーダの２番目のＱビット、...このような形態で再整列されることができる。
【０１８１】
ａ．より具体的に、コンポーネントエンコーダの出力長さが奇数である場合には、前記Ｑ−ビット単位インターリービングの代りに１−ビットインターリービングが実行されることもでき、またはＱ−ビット単位インターリービングを実行した後に各コンポーネントエンコーダの出力ストリーム内でＱ−ビットで構成されない残りのビット情報に対して１−ビット単位のインターリービングを実行することができる。
【０１８２】
ｂ．Ｑの値は、ＰＵＣＣＨまたはＰＵＳＣＨが送信される変調次数（ｍｏｄｕｌａｔｉｏｎ  ｏｒｄｅｒ）によって変わることができる。例えば、前記Ｑの値は、ＱＰＳＫを基準にして２である。
【０１８３】
（４）前記ＵＥは、最終Ｎビットのエンコーディングされた出力に対してパーティショニング（Ｐａｒｔｉｔｉｏｎｉｎｇ）を実行する。前記パーティショニングは、ＭＳＢからＮ／２ビットで構成されたビットストリームと次のＮ／２ビットで構成されたビットストリームとに分けることを意味する。パーティショニングされた各ビットストリームは、互いに異なるスロットにマッピングされて送信（例えば、１番目のビットストリームの場合、第１のスロット内の複数個のＯＣＣに対応されるシンボルに、２番目のビットストリームの場合、第２のスロット内の複数ＯＣＣに対応されるシンボルにわたってマッピング／送信）されることができる。さらに具体的に、スロット別にＯＣＣ種類の個数が異なる場合には非対称的（ａｓｙｍｍｅｔｒｉｃ）なパーティショニングが使われることができる。一例として、第１のスロットで３個のＯＣＣが存在し、第２のスロットで２個のＯＣＣが存在する場合には、最終Ｎビットのエンコーディングされた出力をＭＳＢから３Ｎ／５ビットと次の２Ｎ／５ビットとに分けられる。
【０１８４】
ａ．他の方式として、前記ＵＥは、最終Ｎビットのエンコーディングされた出力に対してＰ倍繰り返し（Ｒｅｐｅｔｉｔｉｏｎ）を実行することができる。各Ｎビット単位のエンコーディングされた出力は（同じＰＵＣＣＨフォーマットリソース内の）互いに異なるリソースを介して送信されることができる。また、ここで、互いに異なるリソースは、スロット、ＲＢ  ｐａｉｒ、ＣＤＭリソースなどの組み合わせを意味する。一例として、第１のスロットでＮビットのエンコーディングされた出力が送信され、第２のスロットで同じエンコーディングされた出力で生成された信号を送信して周波数ダイバーシティ効果を極大化することができる。この方式の場合、データ（ＵＣＩ）送信シンボルにＯＣＣが適用されない形態のＰＵＣＣＨフォーマットに適用されることもできる。
【０１８５】
（５）前記ＵＥは、各スロットに割り当てられたエンコーディングされた出力を周波数インデックスが増加した後、その次にシンボルインデックスが増加する方向にＲＥにマッピングすることもできる。例えば、前記エンコーディングされた出力を低いシンボルインデックスの周波数インデックスを増加させてＲＥにマッピングし、その次のシンボルインデックスで周波数インデックスを増加させてＲＥにマッピングすることができる。代案としては、前記エンコーディングされた出力をシンボルインデックスが増加した後、その次に周波数インデックスが増加する方向にＲＥにマッピングすることができる。例えば、前記エンコーディングされた出力を低い周波数インデックスでシンボルインデックスを増加させてＲＥにマッピングし、その次の周波数インデックスでシンボルインデックスを増加させてＲＥにマッピングすることができる。
【０１８６】
一方、以上の数式で表現されたコンポーネントエンコーダ構成形態は、ビット数範囲による構成方式で表現されることもできる。ＲＭコーディングの代りにＴＢＣＣを活用すると仮定する時、単一ＴＢＣＣを活用する場合には、前記ステップ（１）−（３）をＴＢＣＣ（Ｎ、Ｋ）に代替することを考慮することができ、複数のＴＢＣＣを活用する場合には、前記ＲＭ（Ｙ、Ａ）がＴＢＣＣ（Ｙ、Ａ）に代替され、ステップ（１）でＫビットＵＣＩをＭ個のビットストリームに分ける基準を任意の値に変更することを考慮することができる。
【０１８７】
符号化率が１／３であるＴＢＣＣを基準に単一または複数のＴＢＣＣに対する出力ストリームは、３個である。ＴＢＣＣの特性上、バーストエラー（ｂｕｒｓｔ  ｅｒｒｏｒ）に脆弱であるため、全体または各々の出力ストリームに対してインターリービングが実行されることができる。以下、インターリービング方式のより具体的な例である。
【０１８８】
第１の例示として、各出力ストリームに対してサブ−ブロック（ｓｕｂ−ｂｌｏｃｋ）単位のインターリービングを実行する。インターリービング以後の出力ストリームを（ストリーム単位で）順序通りに連接する。一例として、インターリービング以後の出力ストリームが各々ｃ００、ｃ０１、ｃ０２、...、ｃ０（ｎ−１）とｃ１０、ｃ１１、ｃ１２、...、ｃ１（ｎ−１）、そしてｃ２０、ｃ２１、ｃ２２、...、ｃ２（ｎ−１）の場合、最終出力ストリームは、ｃ００、ｃ０１、ｃ０２、...、ｃ０（ｎ−１）、ｃ１０、ｃ１１、ｃ１２、...、ｃ１（ｎ−１）、ｃ２０、ｃ２１、ｃ２２、...、ｃ２（ｎ−１）である。
【０１８９】
第２の例示として、各出力ストリームに対してサブ−ブロック（ｓｕｂ−ｂｌｏｃｋ）単位のインターリービングを実行する。インターリービング以後の出力ストリームに対して１−ビット単位でインターリービングを実行する。一例として、インターリービング以後の出力ストリームが各々ｃ００、ｃ０１、ｃ０２、...、ｃ０（ｎ−１）とｃ１０、ｃ１１、ｃ１２、...、ｃ１（ｎ−１）、そしてｃ２０、ｃ２１、ｃ２２、...、ｃ２（ｎ−１）の場合、最終出力ストリームは、ｃ００、ｃ１０、ｃ２０、ｃ０１、ｃ１１、ｃ２１、...、ｃ０（ｎ−１）、ｃ１（ｎ−１）、ｃ２（ｎ−１）である。
【０１９０】
第３の例示として、各出力ストリームに対してサブ−ブロック（ｓｕｂ−ｂｌｏｃｋ）単位のインターリービングを実行する。インターリービング以後の出力ストリームに対してＱ−ビット単位でインターリービングを実行する。Ｑは、変調次数（ｍｏｄｕｌａｔｉｏｎ  ｏｒｄｅｒ）により定義されるパラメータに基づいて設定される値であり、ＱＰＳＫを基準にして２である。一例として、Ｑ＝２であり、インターリービング以後の出力ストリームが各々ｃ００、ｃ０１、ｃ０２、...、ｃ０（ｎ−１）とｃ１０、ｃ１１、ｃ１２、...、ｃ１（ｎ−１）、そしてｃ２０、ｃ２１、ｃ２２、...、ｃ２（ｎ−１）の場合、最終出力ストリームは、ｃ００、ｃ０１、ｃ１０、ｃ１１、ｃ２０、ｃ２１、ｃ０２、ｃ０３、ｃ１２、...である。
【０１９１】
第４の例示として、各出力ストリームに対してサブ−ブロック（ｓｕｂ−ｂｌｏｃｋ）単位のインターリービングを実行せずに、出力ストリームに対して１−ビット単位でインターリービングを実行する。
【０１９２】
第５の例示として、各出力ストリームに対してｓサブ−ブロック（ｓｕｂ−ｂｌｏｃｋ）単位のインターリービングを実行せずに、出力ストリームに対してＱ−ビット単位でインターリービングを実行する。
【０１９３】
一方、ＵＣＩ（例えば、ＨＡＲＱ  ＡＣＫ／ＮＡＣＫ）がＰＵＳＣＨを介して送信される場合、最終エンコーディングされた出力のビット数Ｎは、該当ＵＣＩがＰＵＳＣＨを介して送信される場合にＰＵＳＣＨにマッピングされるエンコーディングされたビットの数により定義されるＱ＿ＡＣＫパラメータに基づいて設定されることを考慮することができる。前記Ｑ＿ＡＣＫは、ＵＣＩのサイズとＰＵＳＣＨを介して送信される総（符号化されたブロックに追加されるＣＲＣを含む）ＴＢサイズ、初期送信時のリソース割当情報、ＰＵＳＣＨで使用する変調次数などにより定義されるパラメータに基づいて決定される。さらに詳細に、前記Ｎ値がＱ＿ＡＣＫに代替／設定された状態で前記ステップ（１）−（２）を実行した後に、ステップ（３）−（４）は省略し、各コンポーネントエンコーダの出力を順次に連接（ｃｏｎｃａｔｅｎａｔｅ）することができる。ステップ（１）では方式ｂが適用される。
【０１９４】
一方、前記図１１、図１２、図１３、図１４に提示されたスロット（即ち、ＵＣＩ送信シンボル及びＤＭＲＳ送信シンボル間の数的比率及び位置組み合わせ）とは異なって、本節では、ノーマルＣＰまたは拡張ＣＰである場合にＯＣＣを全て適用しない新しい形態のＰＵＣＣＨフォーマット（便宜上、“ＯＣＣ−ｌｅｓｓ  ＰＵＣＣＨフォーマット”という）を提案する。
【０１９５】
この場合、Ｎの値は、図１１ａではＮ＝２４０であり、図１１ｂ及び図１１ｃではＮ＝２８８である。図１１ｄではＮ＝１９２である。この場合、同じＲＢ（ｐａｉｒ）領域で複数のＰＵＣＣＨが多重化されることは許容されず、ＤＭＲＳシーケンスの種類も一つのみが使われることができる。
【０１９６】
追加で、ＰＵＣＣＨ送信の単位が複数のＲＢであり、または複数のＰＵＣＣＨリソースである場合には、前記Ｎの値は、再びＲＢ個数またはリソース個数を追加で積算して算出される値である。ステップ（１）−（４）過程を介して各スロットに割り当てられたビットストリームは、変調を実行した以後に順次に各スロットの１番目のシンボルから再び１番目の副搬送波インデックスからマッピングを実行する。
【０１９７】
図１５ａ乃至図１５ｃは、ノーマルＣＰの場合、ＯＣＣ−ｌｅｓｓ  ＰＵＣＣＨとＤＭＲＳがマッピングされたシンボルを含むスロットを示す。
【０１９８】
図１５ａ乃至図１５ｃでは、ノーマルＣＰが使われる場合として７個のシンボルを含む一つのスロットを示す。図１５ａ乃至図１５ｃに示すスロットは、図１１ａ乃至図１１ｃに示すスロットとＤＭＲＳの位置が同じである。ただし、図１１ａ乃至図１１ｃとは違って、ＯＣＣが適用されない。
【０１９９】
図１６ａ乃至図１６ｃは、拡張ＣＰの場合、ＯＣＣ−ｌｅｓｓ  ＰＵＣＣＨとＤＭＲＳがマッピングされたシンボルを含むスロットを示す。
【０２００】
図１６ａ乃至図１６ｃでは、拡張ＣＰが使われる場合として６個のシンボルを含む一つのスロットを示す。図１６ａ乃至図１６ｃに示すスロットは、図１２ａ乃至図１２ｃに示すスロットとＤＭＲＳの位置が同じである。ただし、図１２ａ乃至図１２ｃと違って、ＯＣＣが適用されない。
【０２０１】
このように、ＯＣＣを使用しない状況で、縮小されたＰＵＣＣＨフォーマット（即ち、ＳＲＳ送信のために最後のシンボルでＰＵＣＣＨが送信されないフォーマット）を使用する場合、Ｎの値は変更されることができる。例えば、図１３ａではＮ＝２１６であり、図１３ｂ及び図１３ｃではＮ＝２６４である、図１３ｄではＮ＝１６８である。この場合、前述したように、同じＲＢ（ｐａｉｒ）領域で複数のＰＵＣＣＨは多重化されない。また、ＤＭＲＳシーケンスの種類も一つのみが使われることができる。追加で、ＰＵＣＣＨ送信の単位が複数のＲＢであり、または複数のＰＵＣＣＨリソースである場合には、前記Ｎの値は、再びＲＢ個数またはリソース個数を追加で積算して算出された値である。ステップ（１）−（４）過程を介して各スロットに割り当てられたビットストリームは、変調過程をたどった以後、順次に各スロットの１番目のシンボルから副搬送波インデックスが増加する順にＲＥにマッピングされることができる。
【０２０２】
さらに具体的に、ＯＣＣが全て適用されない場合には、ＵＣＩが符号化されたビット／シンボルをシンボルインデックスが増加した後、その次に副搬送波インデックスが増加する方式でＲＥにマッピングできる。即ち、ＵＣＩが符号化されたビット／シンボルを低いインデックスのシンボルで周波数インデックスが増加する方向にＲＥにマッピングした後、その次のインデックスのシンボルで周波数インデックスが増加する方向にＲＥにマッピングする。ここで、シンボルインデックスを基準にしてＲＥにマッピングを実行するにあたって、単位はスロット単位である。即ち、第１のスロット内のＲＥに全てマッピングした以後に第２のスロットでマッピングを実行する。この場合には、前記ステップ（３）で出力ストリーム間のインターリービングを実行する過程を省略し、単に連接（ｃｏｎｃａｔｅｎａｔｉｏｎ）を実行する。一方、ＯＣＣが適用されないため、同じセルでＰＵＣＣＨを送信するＵＥ間の多重化は可能でない。この場合には、ＳＲＳとＰＵＣＣＨを同時送信時に縮小されたＰＵＣＣＨフォーマットを使用する条件が緩和されることもできる。一例として、既存Ｒｅｌ−１２システムでは、ＨＡＲＱ  ＡＣＫ／ＮＡＣＫとＳＲＳの同時送信が設定された場合に、複数のＵＥのＰＵＣＣＨを多重化するために全てのセル−特定的なＳＲＳサブフレームで縮小されたＰＵＣＣＨフォーマットのみが使われた。
【０２０３】
しかし、ＯＣＣが適用されない場合、多数のＵＥのＰＵＣＣＨが多重化されないため、ＳＲＳとＰＵＣＣＨの同時送信のために縮小されたＰＵＣＣＨフォーマットを適用するための条件を下記のようにＰＵＳＣＨと同じようにすることを考慮することができる。
条件１：ＵＥが前記同じサブフレームでＳＲＳを送信する場合、及び／または
条件２：セル−特定的なＳＲＳが設定されたサブフレームで、ＰＵＣＣＨ送信がセル−特定的なＳＲＳ帯域幅と部分的に重なる場合、及び／または
条件３：ＵＥ−特定的で且つ非周期的なＳＲＳサブフレームでＳＲＳ送信が予約された場合、及び／または
条件４：ＵＥが複数のＴＡＧ（Ｔｉｍｉｎｇ  Ａｄｖａｎｃｅ  Ｇｒｏｕｐ）が設定された場合、ＵＥ−特定的で且つ周期的なＳＲＳサブフレームでＳＲＳ送信が予約された場合
【０２０４】
一方、前記条件によって特定ＣＤＭベースの（時間軸にまたは周波数軸にＯＣＣ適用）ＰＵＣＣＨフォーマットの代りに前記縮小されたＰＵＣＣＨフォーマットが使われることができる。さらに具体的に、前記同じ／類似条件によって（ＨＡＲＱ  ＡＣＫ／ＮＡＣＫとＳＲＳ同時送信が設定された場合）ＯＣＣを適用しないＰＵＣＣＨフォーマット、ＯＣＣを適用する一方で、縮小されたＰＵＣＣＨフォーマット適用可否によって多重化性能（ｃａｐａｃｉｔｙ）が変わらないフォーマット、周波数軸にＣＤＭを適用するＰＵＣＣＨフォーマットの代りに前記縮小されたＰＵＣＣＨフォーマットが使われることができる。
【０２０５】
一方、ＨＡＲＱ  ＡＣＫ／ＮＡＣＫなどのＵＣＩ送信のために前記のようなＯＣＣ−ｌｅｓｓ  ＰＵＣＣＨフォーマットが設定された場合、これはＵＣＩ送信のためのＰＵＣＣＨであるが、基本的な信号構成／構造がＰＵＳＣＨ形態に基づいているため、以下のような動作を考慮することができる。具体的に、ＯＣＣ−ｌｅｓｓ  ＰＵＣＣＨフォーマットが設定される場合、ＨＡＲＱ  ＡＣＫ／ＮＡＣＫを含むＵＣＩを伝送する該当ＯＣＣ−ｌｅｓｓ  ＰＵＣＣＨフォーマットと一般ＰＵＳＣＨ間の同時送信は、常に許容され、そのときのＰＵＣＣＨ／ＰＵＳＣＨ同時送信能力乃至許容有無設定による動作は、ＣＳＩ送信ＰＵＣＣＨフォーマット及びＳＲ送信ＰＵＣＣＨフォーマットとＰＵＳＣＨとの間の同時送信の場合にのみ適用されることができる。
【０２０６】
また、前記ＯＣＣ−ｌｅｓｓ  ＰＵＣＣＨフォーマットに基づいてＨＡＲＱ  ＡＣＫ／ＮＡＣＫを含むＰＵＣＣＨとＳＲＳとの間の同時送信の場合にも下記のような動作を考慮することができる。
【０２０７】
第１の例示として、既存ＨＡＲＱ  ＡＣＫ／ＮＡＣＫを含むＰＵＣＣＨとＳＲＳ同時送信設定によって（ｃｅｌｌ−ｓｐｅｃｉｆｉｃ）ＳＲＳ送信サブフレームでないサブフレームでは一般的なＰＵＣＣＨフォーマットを使用し、ＳＲＳ送信サブフレームでは常に縮小されたＰＵＣＣＨフォーマット（これは最後のシンボルに対するｒａｔｅ−ｍａｔｃｈｉｎｇ形態で構成されることができる）を使用することで、ＨＡＲＱ  ＡＣＫ／ＮＡＣＫを含むＰＵＣＣＨを送信することができる。
【０２０８】
第２の例示として、一種のＰＵＳＣＨと見なして（ｃｅｌｌ−ｓｐｅｃｉｆｉｃ）ＳＲＳ送信サブフレームでないサブフレームでは一般的なＰＵＣＣＨを送信し、ＳＲＳ送信サブフレームではセル−特定的なＳＲＳのための帯域幅との重複（ｏｖｅｒｌａｐ）可否によって一般または（ｒａｔｅ−ｍａｔｃｈｉｎｇベースの）縮小されたＰＵＣＣＨフォーマットを使用してＨＡＲＱ  ＡＣＫ／ＮＡＣＫを含むＰＵＣＣＨを送信することができる。
【０２０９】
前記新しいＰＵＣＣＨフォーマットベースのＣＳＩとＳＲＳとの間の同時送信の場合にも下記のような動作を考慮することができる。
【０２１０】
第１の例示として、ＣＳＩを含む既存ＰＵＣＣＨフォーマット２とＳＲＳとの間の衝突と類似するように、ＣＳＩを含むＰＵＣＣＨとＳＲＳのうち一つのチャネルをドロップ（ｄｒｏｐ）し、他の一つに対してのみ送信を実行する。即ち、この場合、新しいＰＵＣＣＨフォーマットは、縮小されたＰＵＣＣＨフォーマットのように、最後のシンボルがパンクチャリングされ、またはレートマッチングされない。前記チャネルの選択は、非周期的なＳＲＳ＞周期的なＣＳＩ＞周期的なＳＲＳの順序通りに優先順位によって実行される。
【０２１１】
第２の例示として、新しいＰＵＣＣＨフォーマットに基づいてＨＡＲＱ  ＡＣＫ／ＮＡＣＫを含むＰＵＣＣＨとＳＲＳとの間の同時送信が設定された場合にのみ、ＣＳＩを含む新しいＰＵＣＣＨフォーマットとＳＲＳの同時送信をサポートする。この場合、新しいＰＵＣＣＨフォーマットは、縮小されたＰＵＣＣＨフォーマットのように、最後のシンボルがパンクチャリングされ、またはレートマッチングされることができる。ＨＡＲＱ  ＡＣＫ／ＮＡＣＫとＳＲＳとの間の同時送信が設定されない場合には、第１の例示のように動作する。
【０２１２】
第３の例示として、ＣＳＩを含む新しいＰＵＣＣＨフォーマットとＳＲＳ同時送信は、常にサポートされる。この場合、新しいＰＵＣＣＨフォーマットは、縮小されたＰＵＣＣＨフォーマットのように、最後のシンボルがパンクチャリングされ、またはレートマッチングされることができる。
【０２１３】
第４の例示として、ＣＳＩを含むＰＵＣＣＨとＳＲＳに対する同時送信可否を基地局が上位階層シグナルを介してＵＥに設定することができる。該当ＣＳＩを含むＰＵＣＣＨとＳＲＳ同時送信が許容されるように設定された場合、前記新しいＰＵＣＣＨフォーマットを利用したＣＳＩとＳＲＳ同時送信をサポートする。この場合、新しいＰＵＣＣＨフォーマットは、縮小されたＰＵＣＣＨフォーマットのように、最後のシンボルがパンクチャリングされ、またはレートマッチングされることができる。一方、ＣＳＩを含むＰＵＣＣＨとＳＲＳ同時送信が設定されない場合には、第１の例示のように動作する。
【０２１４】
前記新しいＰＵＣＣＨフォーマットは、ＯＣＣ−ｌｅｓｓ  ＰＵＣＣＨフォーマットを含むことができ、追加でＣＤＭベースの（時間軸にまたは周波数軸にＯＣＣ適用）ＰＵＣＣＨフォーマット（例えば、ＰＵＣＣＨフォーマット３）を含むこともできる。前記で、もし、縮小されたＰＵＣＣＨフォーマットを特定状況で使用しない場合、ＳＲＳは、ドロップ（ｄｒｏｐ）される。また、前記ＣＳＩを含むＰＵＣＣＨは、ＣＳＩのみを伝送し、または追加でＨＡＲＱ  ＡＣＫ／ＮＡＣＫ及び／またはＳＲを伝送する。さらに特徴的に、ＨＡＲＱ−ＡＣＫは、ＡＲＩがない場合のＨＡＲＱ−ＡＣＫまたはＰＣｅｌｌにのみ（ＴＤＤの場合には、追加でＤＡＩ＝１に該当する場合にのみ）ＰＤＳＣＨをスケジューリングする（Ｅ）ＰＤＣＣＨがある場合を考慮することができる。前記ＣＳＩのみが送信される場合と、ＣＳＩとＨＡＲＱ−ＡＣＫ及び／またはＳＲが送信される場合と、に対して縮小されたＰＵＣＣＨフォーマット適用可否が異なることを考慮することもできる。一例として、ＣＳＩのみが送信される場合には第３の例示または第４の例示のように動作し、ＨＡＲＱ−ＡＣＫ及び／またはＳＲのように送信される場合には第２の例示のように動作することができる。
【０２１５】
他の方式として、基地局は、新しいＰＵＣＣＨフォーマット（ＰＵＳＣＨ構造のＯＣＣ−ｌｅｓｓフォーマットそして／または周波数軸にＯＣＣを適用する形態）とＳＲＳの同時送信可否を上位階層シグナル（例えば、ｕｃｉｓｒｓ−Ｓｉｍｕｌｔａｎｅｏｕｓ−Ｆｏｒｍａｔ４ａｎｄ５またはｆｏｒｍａｔ４ａｎｄ５ｓｒｓ−Ｓｉｍｕｌｔａｎｅｏｕｓ等）を介してＵＥに設定することもできる。前記上位階層シグナルは、送信されるＵＣＩとは関連がなく、新しいＰＵＣＣＨフォーマットに対してのみ提供されることもでき、または各々のフォーマットに対して提供されることもできる。前記新しいＰＵＣＣＨフォーマットとＳＲＳ同時送信可否に対するパラメータがＴＲＵＥに設定された場合には、ＰＵＣＣＨに含まれるＵＣＩの種類に関わらず、ＳＲＳ同時送信を考慮して新しいＰＵＣＣＨフォーマットに対して縮小されたフォーマットをサポートする。さらに特徴的に、縮小されたＰＵＣＣＨフォーマットは、セル特定的なＳＲＳサブフレームで常に使われ、またはＰＵＳＣＨがレートマッチングされることのように、該当ＵＥのＳＲＳ送信可否、セル特定的なＳＲＳ設定、ＵＥ−特定的なＳＲＳ設定などを考慮して使用可否が決定されることもできる。もし、新しいＰＵＣＣＨフォーマットとＳＲＳ同時送信が設定されない場合には、ＰＵＣＣＨに含まれるＵＣＩの種類に関わらず、縮小されたＰＵＣＣＨフォーマットがサポートされない。以後にＵＣＩ優先順位によって新しいＰＵＣＣＨフォーマットに含まれるＵＣＩがＨＡＲＱ−ＡＣＫそして／またはＳＲを含む場合には、ＳＲＳをドロップ（ｄｒｏｐ）し、ＵＣＩが周期的なＣＳＩのみを含む場合そしてＳＲＳが非周期的なＳＲＳである場合には、ＰＵＣＣＨをドロップし、ＳＲＳが周期的なＳＲＳである場合には、ＳＲＳをドロップすることができる。
【０２１６】
他方、ＴＢＣＣの出力ストリームの長さがＰＵＣＣＨ（ｍｕｌｔｉ−ＲＢ、ｍｕｌｔｉ−ｒｅｓｏｕｒｃｅを含む）リソースを介して送信されることができるように、エンコーディングされたビット数（例えば、ＰＵＣＣＨフォーマット３を基準にして４８ビット）より大きい場合には、ＴＢＣＣの出力ストリームのビットサイズを減らすために追加的な手順適用を考慮することができる。前記追加的な手順は、出力ストリームに対してあらかじめ設定された方式によって一部のエンコーディングされたビットをパンクチャリングまたは切断（ｔｒｕｎｃａｔｅ）する。ＴＢＣＣの拘束長さ（ｃｏｎｓｔｒａｉｎｔ  ｌｅｎｇｔｈ）をＫと仮定し、符号化率を１／ｎとする場合、ＴＢＣＣの出力は、ｎ個のビットストリームである。コンボリューションコード（Ｃｏｎｖｏｌｕｔｉｏｎ  ｃｏｄｅ）とは違って、ＴＢＣＣは、エンコーダを構成するメモリまたは状態を０に初期化するためのＴａｉｌビットを有さずに、その代りに最後のＫ−１個の情報ビットを初期メモリ値または状態値に設定することで、エンコーディング時に初期状態と最後の状態を同じように合わせる。したがって、ＴＢＣＣの各ｎ個の出力ストリームで最後のＫ−１個のエンコーディングされたビットがパンクチャリング／切断する場合には、ＴＢＣＣの性能が非常に悪くなる。したがって、前記一部のエンコーディングされたビットをパンクチャリング／切断するにあたって、インターリービング以前に各ｎ個の出力ストリームで最後のＫ−１個のエンコーディングされたビット全体または一部は除外されることを考慮することができる。この場合、便宜上、ＴＢＣＣ出力ストリームに対するインターリービングは、前記レートマッチング過程以後に実行する。
【０２１７】
前記とは別個に、ＴＢＣＣの場合には、各ｎ個の出力ストリームが各々インターリービングされた以後に各出力ストリーム束に順次に連接されることができる。しかし、この場合、一部のエンコーディングされたビットをレートマッチングなどの目的として最後のビットインデックスから切断する場合には、特定出力ストリームに対してのみ切断（ｔｒｕｎｃａｔｉｏｎ）が実行されることができる。また、一部出力ストリームは、ＰＵＣＣＨ送信時、スロットホッピング効果を得ることができない場合もある。したがって、ＴＢＣＣの場合にも各出力ストリームが２個のスロットにわたって送信されるように設定することを考慮することができ、さらに具体的な方式は、前記ＲＭ方式でコンポーネントエンコーダの個数が３個である場合に対する出力インターリービング方式を活用することである。
【０２１８】
他の接近方案として、前記の状況を回避するための一方法として、ＴＢＣＣの出力の総長さがＰＵＣＣＨを介して送信できるエンコーディングされたビット数を越える場合、（１）ＰＵＣＣＨを構成するＲＢ個数を増加し、または（２）ＰＵＣＣＨ送信に使われるＰＵＣＣＨリソースの個数を増加し、または（３）より多くのエンコーディングされたビット数を伝送することができるＰＵＣＣＨフォーマットに変更し、または（４）ＵＣＩ（例えば、ＨＡＲＱ  ＡＣＫ／ＮＡＣＫ）に対してバンドリングを実行することを考慮することができる。一例として、ＰＵＣＣＨフォーマット３を活用するとする時、ＵＣＩサイズまたはＨＡＲＱ  ＡＣＫ／ＮＡＣＫサイズが１６までは１個ＲＢを介してＰＵＣＣＨ送信を実行し、ＵＣＩサイズまたはＨＡＲＱ  ＡＣＫ／ＮＡＣＫサイズが１６超過３２以下では２個ＲＢを介してＰＵＣＣＨ送信を実行し、残りのサイズに対しても同じ方式で増加することを考慮することができる。さらに特徴的に、ＵＣＩサイズまたはＨＡＲＱ  ＡＣＫ／ＮＡＣＫサイズが２１または２２以下まではＲＭコーディングベースのＰＵＣＣＨフォーマット３を利用してＰＵＣＣＨ送信を実行し、以後から前記ＴＢＣＣ関連動作によってＲＢ個数を増やすことを考慮することもできる。
【０２１９】
以下、前記方式によって生成可能なコードの一例を羅列したものである。下記において、［Ｋ、Ｎ］は、サイズがＫビットであるＵＣＩを最終Ｎビットの出力で生成する符号化過程を表示する。
【表７】
2019149827.tif 000026
【０２２０】
前記表の１０ビット単位で表現された入力サイズ基準は、１１ビット単位で表現されることもでき、または１０と１１ビットの組み合わせで表現されることもできる。一例として、前記適用ステップによると、５１〜６０ビットまたは５６〜６６ビットのＵＣＩサイズに対して前記［ｉｎ、ｏｕｔ］＝［６０、１４４］基準のコーディング方式が適用されることができる。
【０２２１】
一方、前記ＵＣＩコーディング方案によって次のようなエンコーディングされた出力に対するＲＥマッピング方式が適用されることができる。説明の便宜のために、前記複数のＲＭコードを使用した場合に各ＲＭコードの出力及び前記ＴＢＣＣを使用した場合に各エンコーダの出力をＣＷ（ｃｏｄｅｗｏｒｄ）と通称し、以下の提案方式は、図１１乃至図１４に示すようなＰＵＣＣＨフォーマット（ｓｈｏｒｔ−ＯＣＣ  ＰＵＣＣＨ）、ＯＣＣを適用しない形態のＰＵＣＣＨフォーマット（即ち、ＯＣＣ−ｌｅｓｓ  ＰＵＣＣＨ）、複数ＲＢ（ｐａｉｒ）で構成される（ＤＭＲＳシーケンスが該当複数ＲＢ長さ単位で生成される）ＰＵＣＣＨフォーマット（即ち、ｍｕｌｔｉ−ＲＢ  ＰＵＣＣＨ）、複数のＰＵＣＣＨリソースで構成される（ＤＭＲＳシーケンスは、ＰＵＣＣＨリソース（例えば、ＲＢ）別に生成される）ＰＵＣＣＨフォーマット（即ち、ｍｕｌｔｉ−ｒｅｓｏｕｒｃｅ  ＰＵＣＣＨ）などの新しいＰＵＣＣＨフォーマットに適用されることができる。
【０２２２】
第１の例示として、各々のＣＷを（インターリービングなしに）連接（ｃｏｎｃａｔｅｎａｔｉｏｎ）した状態で、該当連接されたＣＷをＰＵＣＣＨリソース上で時間優先方式でＲＥにマッピングする。ここで、時間優先マッピングの場合には、具体的に、１）全体連接されたＣＷを全体サブフレーム（即ち、サブフレーム内の全体シンボル）に対して時間優先方式でＲＥにマッピングし、または２）全体連接されたＣＷを半分に分けて二つのｓｕｂ−ＣＷを作った後、１番目のｓｕｂ−ＣＷは第１のスロットに対し、２番目のｓｕｂ−ＣＷは第２のスロットに対し、各々、時間優先方式でＲＥにマッピングする。
【０２２３】
第２の例示として、各ＣＷ間に前記提案ベースのインターリービングを適用した状態で、該当インターリービングされたＣＷをＰＵＣＣＨリソース上で周波数優先方式でＲＥにマッピングする。ここで、周波数優先マッピングは、例えば、全体インターリービングされたＣＷを半分に分けて二つのｓｕｂ−ＣＷを作った後、１番目のｓｕｂ−ＣＷは第１のスロットに対し、２番目のｓｕｂ−ＣＷは第２のスロットに対し、各々、周波数優先方式でＲＥにマッピングする。
【０２２４】
前記説明した例示の場合、コーディング方式そして／またはＰＵＣＣＨフォーマット構造及びそれの組み合わせによって異なるように適用されることができる。一例として、（ＰＵＣＣＨフォーマットに関わらず）ＴＢＣＣベースのコーディングが適用される場合には第１の例示が使われ、ｍｕｌｔｉｐｌｅ  ＲＭベースのコーディングが適用される場合には第２の例示が考慮されることができ、（コーディング方式に関わらず）前記新しいＰＵＣＣＨフォーマットのうち、ＯＣＣ−ｌｅｓｓ  ＰＵＣＣＨの場合には第１の例示が使われ、残りの（ＯＣＣ適用ベースの）ＰＵＣＣＨフォーマットの場合には第２の例示が使われることができる。他の一例として、ＴＢＣＣとＯＣＣ−ｌｅｓｓ  ＰＵＣＣＨの組み合わせに対しては第１の例示が使われ、残りの組み合わせ（ｍｕｌｔｉｐｌｅ  ＲＭが適用される場合またはＯＣＣ適用ベースのＰＵＣＣＨフォーマット）に対しては第２の例示が適用されることができる。
【０２２５】
ＩＶ．新しいＰＵＣＣＨフォーマットに対するＤＭＲＳ設定方案（仮出願３．６節）
既存には、ＤＭＲＳを除外した領域に対してはＯＣＣを活用して単一または複数ＵＥに対する多数のＰＵＣＣＨが多重化されることを許容することができた。しかし、ＤＭＲＳの場合にも前記データ領域のように複数のＰＵＣＣＨリソース別にＣＤＭが可能でなければならない。既存ＬＴＥ  Ｒｅｌ−１１システムを基準にしてＰＵＣＣＨフォーマット３は、ＤＭＲＳを除外した領域に対しては（縮小されたＰＵＣＣＨフォーマットが使われない場合に）長さが５であるＯＣＣを介して複数のＰＵＣＣＨが同じＲＢ（ｐａｉｒ）で多重化されることを許容し、ＤＭＲＳの場合には該当ＯＣＣインデックスにより定義されるパラメータに基づいて、ＤＭＲＳに対する循環シフト（ｃｙｃｌｉｃ  ｓｈｉｆｔ）値に変化を与えて同じＲＢ（ｐａｉｒ）内で複数のＰＵＣＣＨリソースが多重化されることを許容した。以下の数式は、ＰＵＣＣＨフォーマット３でＤＭＲＳに対する循環シフト（ｃｙｃｌｉｃ  ｓｈｉｆｔ）を適用する時に使用した数式である。
【数１４】
2019149827.tif 000027
【０２２６】
前記において、ｎｃｅｌｌｃｓ（ｎｓ、ｌ）は、物理セルＩＤまたはＲＳ  ＩＤをパラメータに設定される値であり、
【化４】
2019149827.tif 000028
は（スロット単位で）ＯＣＣインデックスに連動されてデータとともにＤＭＲＳが同じＲＢ（ｐａｉｒ）内で複数のＰＵＣＣＨリソースを多重化することができるように設定される値である。即ち、ＰＵＣＣＨフォーマット３は、同じＲＢ（ｐａｉｒ）に複数のＰＵＣＣＨリソースを多重化することをサポートするにあたって、データ領域のＯＣＣとＤＭＲＳの循環シフト（ｃｙｃｌｉｃ  ｓｈｉｆｔ）の変更を利用している。
【０２２７】
次期システムで新しいＰＵＣＣＨフォーマットをサポートする時に（スロット単位で）ＯＣＣの長さに対する最小値は、２または３の場合を考慮することもできる。前記最小値が２である場合は、スロット内に複数のＯＣＣ種類が存在し、各々のＯＣＣ長さが２のみで設定され、または２またはそれ以上の値（例えば、３）を有する場合も含むことができ、ＯＣＣが適用されないシンボルは、最小ＯＣＣ長さ決定過程で除外されることができる。基本的に前記数式で循環シフト設定時に活用される
【化５】
2019149827.tif 000029
の値は、最終的にＭｏｄｕｌｏ  ＮＲＢＳＣ値を有する。したがって（スロット単位で）ＯＣＣの長さに対する最小値がＮ＿ＯＣＣとする時、
【化６】
2019149827.tif 000030
【０２２８】
に対する候補値間の差は、ＮＲＢＳＣ／ＮＯＣＣまたは該当値に近い整数値に設定する。
【０２２９】
以下の表は、（スロット別に）ＯＣＣの長さに対する最小値が２または３の場合に循環シフト（ｃｙｃｌｉｃ  ｓｈｉｆｔ）値の設定時、パラメータとして活用する値に対する例を示す。
【０２３０】
以下の表に提示された
【化７】
2019149827.tif 000031
の場合、各々に同じオフセット値が含まれている形態で設定することも可能である。例えば、最小ＯＣＣ長さが３である場合には、３個のＤＭＲＳ循環シフト値が０＋ａ、４＋ａ、８＋ａ（ａ＞０）になることができ、最小ＯＣＣ長さが２である場合には、２個のＤＭＲＳ循環シフト値が０＋ｂ、６＋ｂ（ｂ＞０）になることができる。
【０２３１】
以下の表は、新しいＰＵＣＣＨフォーマットのための
【化８】
2019149827.tif 000032
との間の関係を示す。
【表８】
2019149827.tif 000033
【０２３２】
新しく導入されるＰＵＣＣＨフォーマットは、（スロット単位で）複数のＤＭＲＳを含むこともでき、この場合にはＤＭＲＳに対してＯＣＣを適用することを考慮することもできる。ＤＭＲＳに対するＯＣＣの長さは、スロット当たりＤＭＲＳがマッピングされるＯＦＤＭシンボル個数と同じであることを考慮することができ、ＯＣＣ選択方案は、以下の表のＯＣＣシーケンスを使用する。ＤＭＲＳに対する多重化をサポートする方案として、前記説明した通り、循環シフトを利用する方案、ＯＣＣを利用する方案、循環シフト（即ち、ＣＳ）とＯＣＣの組み合わせを利用する方案を考慮することもできる。
【表９】
2019149827.tif 000034
【０２３３】
特徴的に、アップリンクデータ（ＵＣＩ）送信シンボルにＯＣＣが適用されずにスロット当たり複数のＤＭＲＳ送信シンボルが構成される形態のＰＵＣＣＨフォーマットの場合には、該当ＰＵＣＣＨフォーマットベースのＰＵＣＣＨリソース間またはこれと既存ＰＵＣＣＨフォーマット（例えば、ＰＵＣＣＨフォーマット３）との間の多重化のために（スロット単位で）ＤＭＲＳに特定ＯＣＣ（及びこれとＣＳ値の組み合わせ）が適用されることができる。また、このような形態のＰＵＣＣＨフォーマットベースのリソースは、ＤＭＲＳのためのＰＲＢインデックス、ＣＳ値（及び／またはＯＣＣインデックス）を使用して区分／インデクシングされることができる。
【０２３４】
Ｖ．新しいＰＵＣＣＨフォーマットに対する電力設定方案（仮出願３．７節）
ＰＵＣＣＨに対するパワーを決定する時、コンポーネントＲＭエンコーダの個数やＵＣＩサイズに定義されるパラメータが活用されることができる。一例として、ＰＵＣＣＨフォーマット３の場合には、コンポーネントＲＭの個数が１個である場合と２個である場合またはＵＣＩサイズが１１ビット以下である場合と超過である場合によってＵＣＩサイズ変更によるパワー増加程度を異なるように設定することを考慮している。追加で、ＰＵＣＣＨに対する送信ダイバーシティスキーム（以下、ＴｘＤ）適用可否によっても異なるように設定できる。前記ＰＵＣＣＨに対するＴｘＤは、独立的なアンテナポート（ＡＰ）に対して互いに異なるＰＵＣＣＨリソースをマッピングし、該当ＰＵＣＣＨリソースに対して同じエンコーディングされた出力情報を各々マッピングして送信する方式である。一例として、ＰＵＣＣＨフォーマット３ではＵＣＩサイズが１１ビットを超過し、またはＴｘＤが適用された場合にはＵＣＩサイズ値の変化によって１／３ほどのＰＵＣＣＨの送信パワーが変化するようにし、残りの場合に対してはＵＣＩサイズ値の変化によって１／２ほどのＰＵＣＣＨ送信パワーが変化するようにする。これに対する数式は、以下の通りである。下記の数式において、ＵＣＩは、ＨＡＲＱ  ＡＣＫ／ＮＡＣＫ、ＣＳＩ、ＳＲの組み合わせで構成されることができると解釈できる。
【数１５】
2019149827.tif 000035
【数１６】
2019149827.tif 000036
【０２３５】
同様に、新しいＰＵＣＣＨフォーマットに対しても、符号化時に使われたコンポーネントエンコーダの個数やＵＣＩサイズによってＵＣＩサイズの変化当たり送信パワーの変動水準を異なるように設定することを考慮することができる。一例として、コンポーネントＲＭ個数によってＵＣＩサイズ値の変化当たりＰＵＣＣＨ送信パワー変動値が１個である場合は１／２であり、２個である場合は１／３である。追加で、コンポーネントエンコーダの個数が２を超える場合には依然として１／３に設定されることもでき、またはコンポーネントエンコーダの個数の増加によってＵＣＩサイズ値の変化当たりＰＵＣＣＨ送信パワー変動値が引続き小さくなる形態を考慮することもできる。実施例として、コンポーネントエンコーダの個数がＬ個である場合には１／（１＋Ｌ）である。または、ＵＣＩサイズによってＵＣＩサイズ値の変化当たりＰＵＣＣＨ送信パワー変動値を異なるように設定することを考慮することもでき、１０または１１を単位で該当変動値が減少する形態を考慮することができる。実施例として、ＵＣＩサイズがＫビット（Ｋは、１以上の整数値）とする時、ＵＣＩサイズ値の変化当たりＰＵＣＣＨ送信パワー変動値は、１／（２＋Ｆｌｏｏｒ（（Ｋ−１）／１１））に設定することもでき、Ｋ値が１１を超える時点では１／３に固定されることもできる。前記状況は、ＰＵＣＣＨに対してＴｘＤが適用されない場合に限定できる。
【０２３６】
ＰＵＣＣＨに対する送信パワーの設定時には、ＰＵＣＣＨフォーマット別に独立的に設定されて適用されるオフセットが存在し、新しいＰＵＣＣＨフォーマットに対しても該当値を独立的に実行することができる。既存ＬＴＥ  Ｒｅｌ−１１システムを基準にしてＰＵＣＣＨフォーマット３に対するオフセット（以下、ｄｅｌｔａＦ−ＰＵＣＣＨ−ＦｏｒｍａｔＸで表記、ＰＵＣＣＨフォーマット３に対してＸ＝３）値の候補は｛−１、０、１、２、３、４、５、６｝である。新しいＰＵＣＣＨフォーマットに対するオフセット値候補を選択するにあたっては、ＰＵＣＣＨフォーマット３に対するオフセット値とＰＵＣＣＨフォーマット３がサポートする最大符号化率、新しいＰＵＣＣＨフォーマットがサポートする最大符号化率などにより定義されるパラメータを使用することを考慮することができる。前記において、符号化率は、該当ＰＵＣＣＨを介して送信できる最大ＵＣＩサイズからＵＣＩ送信のために使われるＰＵＣＣＨ内の総ＲＥ個数を分けた値である。一例として、ＰＵＣＣＨフォーマット３の場合、ＵＣＩサイズの最大値を２１または２２に設定することができ、ＲＥ個数は１２０個に設定することができる。この場合に、ＰＵＣＣＨフォーマット３でサポートできる符号化率は０．１７５または０．１８３である。新しいＰＵＣＣＨフォーマットに対してはＵＣＩ送信のためのＰＵＣＣＨ内の総ＲＥ個数をＮ＿ＵＣＩと仮定し、最大ＵＣＩサイズをＫ＿ｍａｘと表記するとする時、符号化率は、Ｋ＿ｍａｘ／Ｎ＿ＵＣＩに設定されることができる。第１の例として、Ｋ＿ｍａｘが３２または３３であり、Ｎ＿ＵＣＩが１２０の場合、符号化率は、各々、０．２６７または０．２７５である。第２の例として、Ｋ＿ｍａｘが６４または６５であり、Ｎ＿ＵＣＩが１４４の場合、符号化率は、各々、０．４４４または０．４５１である。ＰＵＣＣＨフォーマット３に対する符号化率と新しいＰＵＣＣＨフォーマットに対する符号化率との間の比率をｄＢ単位で表現することもでき、該当値に近接した（ｒｏｕｎｄまたはｃｅｉｌまたはｆｌｏｏｒ等を介して）整数を新しいｄｅｌｔａＦ−ＰＵＣＣＨ−ＦｏｒｍａｔＸに対する候補を選択する時に活用できる。前記第１の例の場合には２ｄＢ、第２の例の場合には４ｄＢを取得することができ、４ｄＢを基準にしてＰＵＣＣＨフォーマット３に対するオフセット値であるｄｅｌｔａＦ−ＰＵＣＣＨ−Ｆｏｒｍａｔ３から次の候補値を導出することができる：｛−１、０、１、２、３、４、５、６、７、８、９、１０｝。したがって、新しいＰＵＣＣＨフォーマットに対する候補値は｛−１、０、１、２、３、４、５、６、７、８、９、１０｝の全体またはサブセットから候補を選択することを考慮することができる。
【０２３７】
または、ｄｅｌｔａＦ−ＰＵＣＣＨ−ＦｏｒｍａｔＸは、ＰＵＣＣＨフォーマット１ａとの性能差から導出することもできる。新しいＰＵＣＣＨフォーマットは、基本的に設定されたセルの個数が６以上である場合を仮定することができ、この場合、新しいＰＵＣＣＨフォーマットを介して送信されるＵＣＩのサイズを６である場合を基準にしてｄｅｌｔａＦ−ＰＵＣＣＨ−ＦｏｒｍａｔＸを導出する。以下の表は、新しいＰＵＣＣＨフォーマットがＯＣＣ−ｌｅｓｓ  ＰＵＳＣＨ−ｌｉｋｅフォーマットである場合に対するものであり、ＥＴＵチャネルとＥＰＡチャネルでの性能差を示す。即ち、以下の表は、ＰＵＣＣＨフォーマット１ａとＰＵＣＣＨフォーマット４との間の性能差を示す。
【表１０】
2019149827.tif 000037
【０２３８】
前記の表から、新しいＰＵＣＣＨフォーマットは、ＰＵＣＣＨフォーマット１ａ対比して８または９のオフセットを有すると仮定することができる。したがって、ｄｅｌｔａＦ−ＰＵＣＣＨ−ＦｏｒｍａｔＸに対する候補値は｛６、７、８、９、１０、１１｝の全体またはサブセットから選択される。追加で、ＰＵＣＣＨ送信パワーの制御のための数式において、ＵＣＩサイズによって変動されるオフセットが存在でき、該当オフセット値を基準にして前記の候補値は｛６−ｏｆｆｓｅｔ、７−ｏｆｆｓｅｔ、８−ｏｆｆｓｅｔ、９−ｏｆｆｓｅｔ、１０−ｏｆｆｓｅｔ、１１−ｏｆｆｓｅｔ｝の形態に変更される。一例として、前記オフセットは、ＵＣＩサイズが６ビットである場合に対する値であり、該当値が負数（ｎｅｇａｔｉｖｅ）である場合にはその値ほど補償する必要がある。さらに具体的に、前記オフセットの値は、２または３（参考にして、Ｋ＿Ｓの値が１．２５である場合のｄｅｌｔａ＿ＴＦ値）または５または６（参考にして、Ｋ＿Ｓの値が０．４５である場合のｄｅｌｔａ＿ＴＦ値）である。
【０２３９】
以上説明した本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的には、図面を参照して説明する。
【０２４０】
図１８は、本明細書の開示が具現される無線通信システムを示すブロック図である。
【０２４１】
基地局２００は、プロセッサ（ｐｒｏｃｅｓｓｏｒ）２０１、メモリ（ｍｅｍｏｒｙ）２０２及びＲＦ部（ＲＦ（ｒａｄｉｏ  ｆｒｅｑｕｅｎｃｙ）ｕｎｉｔ）２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び／または受信する。プロセッサ２０１は、提案された機能、過程及び／または方案を具現する。前述した実施例で、基地局の動作は、プロセッサ２０１により具現されることができる。
【０２４２】
ＭＴＣ機器１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び／または受信する。プロセッサ１０１は、提案された機能、過程及び／または方案を具現する。
【０２４３】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０２４４】
前述した例示的なシステムにおいて、方案は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
2019149827.tif 000038
【図２】
2019149827.tif 000039
【図３】
2019149827.tif 000040
【図４】
2019149827.tif 000041
【図５】
2019149827.tif 000042
【図６】
2019149827.tif 000043
【図７ａ】
2019149827.tif 000044
【図７ｂ】
2019149827.tif 000045
【図７ｃ】
2019149827.tif 000046
【図８ａ】
2019149827.tif 000047
【図８ｂ】
2019149827.tif 000048
【図９】
2019149827.tif 000049
【図１０】
2019149827.tif 000050
【図１１ａ】
2019149827.tif 000051
【図１１ｂ】
2019149827.tif 000052
【図１１ｃ】
2019149827.tif 000053
【図１１ｄ】
2019149827.tif 000054
【図１１ｅ】
2019149827.tif 000055
【図１２ａ】
2019149827.tif 000056
【図１２ｂ】
2019149827.tif 000057
【図１２ｃ】
2019149827.tif 000058
【図１２ｄ】
2019149827.tif 000059
【図１２ｅ】
2019149827.tif 000060
【図１３ａ】
2019149827.tif 000061
【図１３ｂ】
2019149827.tif 000062
【図１３ｃ】
2019149827.tif 000063
【図１３ｄ】
2019149827.tif 000064
【図１４ａ】
2019149827.tif 000065
【図１４ｂ】
2019149827.tif 000066
【図１４ｃ】
2019149827.tif 000067
【図１５ａ】
2019149827.tif 000068
【図１５ｂ】
2019149827.tif 000069
【図１５ｃ】
2019149827.tif 000070
【図１６ａ】
2019149827.tif 000071
【図１６ｂ】
2019149827.tif 000072
【図１６ｃ】
2019149827.tif 000073
【図１７】
2019149827.tif 000074